(57)【要約】  ジョセフソン・リング変調器に結合された表面弾性波共振器と超伝導マイクロ波共振器とによって実装された超伝導デバイスの応用が提供される。方法は、マイクロ波ジョセフソン・ミキサによって、超伝導デバイスの超伝導表面弾性波共振器から、第１の周波数で共振する１つまたは複数のフォノンを含む表面弾性波信号を受信することを含み得る。この方法は、マイクロ波ジョセフソン・ミキサによって、超伝導デバイスの超伝導マイクロ波共振器から、第２の周波数で共振可能な１つまたは複数の光子を含むマイクロ波信号を受信することも含み得る。また、この方法は、マイクロ波ジョセフソン・ミキサによって、マイクロ波ジョセフソン・ミキサに動作可能に結合されたマイクロ波源から受信したマイクロ波制御信号に基づいて表面弾性波信号とマイクロ波信号とを混合することも含み得る。
2021532629.tif 000002
【特許請求の範囲】
【請求項１】
周波数変換器において、超伝導表面弾性波共振器から、第１の周波数で共振する１つまたは複数のフォノンを含む表面弾性波信号を受信することと、
前記周波数変換器において、超伝導マイクロ波共振器から、第２の周波数で共振する１つまたは複数の光子を含むマイクロ波信号を受信することと、
前記周波数変換器によって、マイクロ波源から受信したポンプ信号に基づいて前記超伝導表面弾性波共振器の第１の情報と前記超伝導マイクロ波共振器の第２の情報との間で無損失周波数変換を実施することとを含む、方法。
【請求項２】
前記無損失周波数変換を前記実施することは、
前記周波数変換器によって、伝播高周波信号を前記超伝導表面弾性波共振器におけるフォノン・モードにマッピングすることと、
前記周波数変換器によって、定義済み周波数のマイクロ波制御信号の印加により前記フォノン・モードを前記超伝導マイクロ波共振器における光子モードにアップコンバートすることとを含み、前記フォノン・モードの前記アップコンバージョンは無損失３波混合相互作用によって可能にされ、アップコンバートされたマイクロ波信号は前記超伝導マイクロ波共振器を出ると伝播する、請求項１に記載の方法。
【請求項３】
マイクロ波制御信号周波数の第１の値が前記超伝導マイクロ波共振器と前記超伝導表面弾性波共振器の共振周波数の周波数差の絶対値に等しい、請求項３に記載の方法。
【請求項４】
前記無損失周波数変換を前記実施することが、
前記周波数変換器によって、伝播マイクロ波周波数信号を前記超伝導マイクロ波共振器における光子モードにマッピングすることと、
前記周波数変調器によって、定義済み周波数のマイクロ波制御信号の印加により前記光子モードを前記超伝表面導弾性表面波共振器におけるフォノン・モードにダウンコンバートすることとを含み、前記光子モードの前記ダウンコンバージョンは無損失３波混合相互作用によって可能にされ、ダウンコンバートされた表面弾性波信号は前記超伝導表面弾性波共振器を出ると伝播する、請求項１に記載の方法。
【請求項５】
前記周波数変換器によって、マイクロ波制御信号の周波数と振幅とに基づいて、前記超伝導表面弾性表面波共振器と前記超伝導マイクロ波共振器との間で情報を転送することをさらに含む、請求項１に記載の方法。
【請求項６】
前記周波数変換器がマイクロ波ジョセフソン・ミキサであり、前記方法は、
前記マイクロ波ジョセフソン・ミキサによって、前記マイクロ波ジョセフソン・ミキサに動作可能に結合された前記マイクロ波源から受信したマイクロ波制御信号に基づいて前記表面弾性波信号と前記マイクロ波信号とを混合することを含む、請求項１に記載の方法。
【請求項７】
前記マイクロ波ジョセフソン・ミキサによって、前記マイクロ波信号と前記表面弾性波信号との周波数差で印加されたポンプ・ドライブの印加に基づいて、前記超伝導表面弾性波共振器と前記超伝導マイクロ波共振器との間で量子情報を転送することをさらに含む、請求項６に記載の方法。
【請求項８】
前記マイクロ波制御信号に基づいて、前記超伝導表面弾性波共振器から前記超伝導マイクロ波共振器に第１の量子情報を転送し、前記超伝導マイクロ波共振器から前記超伝導表面弾性波共振器に第２の量子情報を転送することをさらに含む、請求項６に記載の方法。
【請求項９】
前記マイクロ波ジョセフソン・ミキサによって、前記表面弾性波信号と前記マイクロ波信号との前記混合を停止させるとの判断に基づいて前記超伝導表面弾性波共振器と前記超伝導マイクロ波共振器との接続を切断することと、
前記マイクロ波ジョセフソン・ミキサによって、前記表面弾性波信号と前記マイクロ波信号との前記混合を再開させるとの判断に基づいて前記超伝導表面弾性波共振器と前記超伝導マイクロ波共振器との前記接続を再有効化することとをさらに含む、請求項１に記載の方法。
【請求項１０】
前記マイクロ波ジョセフソン・ミキサによって、前記マイクロ波制御信号の第１のパワーに基づいて前記超伝導表面弾性波共振器と前記超伝導マイクロ波共振器との間で量子情報の第１の部分を転送することと、
前記マイクロ波ジョセフソン・ミキサによって、前記マイクロ波制御信号の第２のパワーに基づいて前記超伝導表面弾性波共振器と前記超伝導マイクロ波共振器との間で量子情報の第２の部分を転送することとをさらに含む、請求項８に記載の方法。
【請求項１１】
前記表面弾性波信号と前記マイクロ波信号との前記混合は、
前記表面弾性波信号によって搬送された情報を前記マイクロ波信号にユニタリに変換することを含む、請求項８に記載の方法。
【請求項１２】
前記表面弾性波信号と前記マイクロ波信号との前記混合は、前記マイクロ波信号によって搬送された情報を前記表面弾性波信号にユニタリに変換することを含む、請求項８に記載の方法。
【請求項１３】
超伝導表面弾性波共振器に容量結合された第１の超伝導キュービットと、
超伝導マイクロ波共振器に容量結合された第２の超伝導キュービットと、
前記超伝導表面弾性波共振器と前記超伝導マイクロ波共振器とに結合されたジョセフソン・リング変調器とを含む、超伝導デバイス。
【請求項１４】
第１の結合キャパシタと第２の結合キャパシタとを介して前記ジョセフソン・リング変調器の２つの隣接したノードに動作可能に結合されたポンプ・ドライブをさらに含む、請求項１３に記載の超伝導デバイス。
【発明の詳細な説明】
【技術分野】
【０００１】
本発明は、表面弾性波とマイクロ波信号とを混合する超伝導デバイスの応用に関する。
【背景技術】
【０００２】
量子回路において、２つの超伝導マイクロ波共振器にジョセフソン・リング変調器が結合され、２つの超伝導マイクロ波共振器によってサポートされているディファレンシャル・モードとジョセフソン・リング変調器に供給される非共振共通ドライブとの間で３波混合が行われる。ジョセフソン・リング変調器を２つの超伝導マイクロ波共振器に結合することに起因して、このデバイスはディファレンシャル・モードの周波数の選択に限界があり、それによって１つまたは複数の問題が生じ得る。例えば、ジョセフソン・リング変調器を低周波伝送線共振器に接続することには、広い面積（例えば広い実装面積）を占有するなど、様々な問題があり得る。もう１つの問題は、ジョセフソン・リング変調器のインダクタンスと比較して、低共振周波数伝送線に付随する比較的大きな線形インダクタンスである。この結果として、関与率が著しく減少する可能性があり、それによって動作のために共振器のきわめて高い外部Ｑ値（Ｑ）を必要とする。しかし、共振器の高い外部Ｑ値は、きわめて狭い動的帯域幅をもたらす可能性があり、それによってデバイスの可用性と実用性が大幅に制限されるため、望ましくない。
【０００３】
さらに、ジョセフソン・リング変調器を低周波集中素子共振器に結合するには、大きな集中キャパシタンスと大きな集中インダクタンスの使用を必要とすることがある。大きな集中キャパシタンスとインダクタンスは、実際に実現するのが困難である。大きなキャパシタンスにはかなりの損失がある可能性があり（デバイスの内部Ｑを低下させる）、その結果、量子信号の相当な部分を失わせる可能性がある。大きな幾何学的インダクタンスには、通常、有用性を制限する寄生容量という欠点がある。大きな力学インダクタンスは、通常、製造と集積が難しい非従来型の微細超伝導体に依拠する。
【発明の概要】
【０００４】
以下に、本発明の１つまたは複数の実施形態の基本的理解のために発明の概要を示す。本概要は、重要または不可欠な要素を特定すること、または、特定の実施形態のいかなる範囲または特許請求のいかなる範囲も明示することを意図していない。その唯一の目的は、後で示すより詳細な説明の前置きとして概念を簡略化された形態で示すことである。本明細書では、１つまたは複数の実施形態において、表面弾性波とマイクロ波信号とを混合し、表面弾性波とマイクロ波信号との間の無損失周波数変換を容易にし、表面弾性波とマイクロ波信号のための非縮退パラメトリック・ジョセフソン増幅器であり、フォノン・モードと光子モードとのもつれ状態を生じさせるデバイス、システム、方法、装置、またはコンピュータ・プログラム製品あるいはこれらの組合せについて説明する。
【０００５】
一実施形態によると、方法は、マイクロ波ジョセフソン・ミキサによって、超伝導デバイスの超伝導表面弾性波共振器から、第１の周波数で共振する１つまたは複数のフォノンを含む表面弾性波信号を受信することを含み得る。この方法は、マイクロ波ジョセフソン・ミキサによって、超伝導デバイスの超伝導マイクロ波共振器から、第２の周波数で共振可能な１つまたは複数の光子を含むマイクロ波信号を受信することも含み得る。また、この方法は、マイクロ波ジョセフソン・ミキサによって、マイクロ波ジョセフソン・ミキサに動作可能に結合されたマイクロ波源から受信したマイクロ波制御信号に基づいて表面弾性波信号とマイクロ波信号とを混合することも含み得る。このような方法の利点は、超伝導表面弾性波共振器の低マイクロ波周波数と超伝導マイクロ波共振器の高マイクロ波周波数との間で無散逸３波混合および増幅を行うことができることである。もう１つの利点は、表面弾性波信号によって搬送された量子情報をマイクロ波信号に、またはその逆にユニタリに変換する（例えば、量子信号のエネルギーおよび位相コヒーレンスが保存される）ことができることである。また、この量子操作は、デバイスによって受信された別個のマイクロ波制御信号（ポンプまたはポンプ・デバイスと呼ぶ）によって制御され、可能にすることができる。
【０００６】
一部の実装形態では、この方法は、マイクロ波ジョセフソン・ミキサによって、マイクロ波信号と表面弾性波信号との周波数差で印加されるポンプ・ドライブの印加に基づいて、超伝導表面弾性波共振器から超伝導マイクロ波共振器（または超伝導マイクロ波共振器から表面弾性波共振器に、あるいはその両方の方向に）量子情報を転送することを含み得る。このような方法の利点は、情報が交換または変換されるモードを選択するためにマイクロ波制御信号を使用することができることである。
【０００７】
一部の実装形態では、この方法は、マイクロ波ジョセフソン・ミキサによって、表面弾性波信号とマイクロ波信号との混合を停止させるとの判断に基づいて超伝導表面弾性波共振器と超伝導マイクロ波共振器との接続または相互作用を切断することを含み得るので有利である。また、この方法は、マイクロ波ジョセフソン・ミキサによって、表面弾性波信号とマイクロ波信号との混合を再開させるとの判断に基づいて超伝導表面弾性波共振器と超伝導マイクロ波共振器との接続または相互作用を再有効化することを含み得る。このような方法の利点は、マイクロ波ジョセフソン・ミキサが、表面弾性波信号とマイクロ波信号との間の情報の転送を制御することができることである。
【０００８】
一部の実装形態によると、この方法は、マイクロ波ジョセフソン・ミキサによって、マイクロ波制御信号の第１のパワーに基づいて超伝導表面弾性波共振器と超伝導マイクロ波共振器との間で量子情報の第１の部分を転送することを含み得る。この方法は、マイクロ波ジョセフソン・ミキサによって、マイクロ波制御信号の第２のパワーに基づいて、超伝導表面弾性波共振器と超伝導マイクロ波共振器との間で量子情報の第２の部分を転送することも含み得る。このような方法の利点は、マイクロ波ジョセフソン・ミキサとマイクロ波制御信号のパワーとによって、転送される情報の量を制御することができることである。
【０００９】
別の実施形態は、周波数変換器において、超伝導表面弾性波共振器から、第１の周波数で共振する１つまたは複数のフォノンを含む表面弾性波信号を受信することを含み得る。この方法は、周波数変換器において、超伝導マイクロ波共振器から、第２の周波数で共振する１つまたは複数の光子を含むマイクロ波信号を受信することも含み得る。また、この方法は、周波数変換器によって、マイクロ波源から受信したポンプ信号に基づいて超伝導表面弾性波共振器の第１の情報と超伝導マイクロ波共振器の第２の情報との間で無損失周波数変換を実施することを含み得る。このような方法の利点は、表面弾性波とマイクロ波信号との間の変換が無損失周波数変換であることである。
【００１０】
一部の実装形態によると、この方法は、周波数変換器によって、伝播高周波信号を超伝導表面弾性波共振器におけるフォノン・モードにマッピングすることを含み得る。また、この方法は、周波数変換器によって、定義済み周波数のマイクロ波制御信号（例えばポンプ）の印加によりフォノン・モードを超伝導マイクロ波共振器における光子モードにアップコンバートすることを含み得る。フォノン・モードのアップコンバージョンは、無損失３波混合相互作用によって可能にすることができる。アップコンバートされたマイクロ波信号は、超伝導マイクロ波共振器を出ると伝播する。このような方法の利点は、無損失３波混合相互作用により伝播フォノン・モードまたは低周波数マイクロ波信号を伝播光子モード（例えば高周波数マイクロ波モード）にアップコンバートすることができることである。
【００１１】
あるいは、この方法は、周波数変換器によって、伝播マイクロ波信号を超伝導マイクロ波共振器における光子モードにマッピングすることを含み得る。また、この方法は、周波数変換器によって、定義済み周波数のマイクロ波制御信号（例えばポンプ）の印加により光子モードを超伝導表面弾性波共振器におけるフォノン・モードにダウンコンバートすることを含み得る。光子モードのダウンコンバージョンは、無損失３波混合相互作用によって可能にすることができる。また、ダウンコンバートされた表面弾性波信号は、超伝導表面弾性波共振器を出ると伝播することができる。このような方法の利点は、無損失３波混合相互作用により伝播光子モード（例えば高周波数マイクロ波モード）を伝播フォノン・モードまたは低周波数マイクロ波モードにダウンコンバートすることができることである。
【００１２】
別の実施形態によると、ジョセフソン・パラメトリック増幅器によって、デバイスの第１のポートに入る表面弾性波信号の第１の直交位相と、デバイスの第２のポートに入るマイクロ波信号の第２の直交位相とを増幅することを含み得る方法が提供される。また、この方法は、ジョセフソン・パラメトリック増幅器によって、出力ポートを介して、第１の反射信号と周波数変換が施された第１の送信信号とを含む第１の増幅信号と、第２の反射信号と周波数変換が施された第２の送信信号とを含む第２の増幅信号とを出力することを含み得る。このような方法の利点は、この方法が、低周波数マイクロ波信号と高周波数マイクロ波信号のための位相保存量子限界増幅器として機能することができることである。
【００１３】
別の実施形態では、エンタングルメント構成要素によって、第１の周波数を含む第１の入力信号を超伝導表面弾性波共振器に入力することを含み得る方法が提供される。エンタングルメント構成要素には、超伝導表面弾性波共振器を介して第１のキュービットが動作可能に結合される。この方法は、エンタングルメント構成要素によって、第２の周波数を含む第２の入力信号を超伝導マイクロ波共振器に入力することも含み得る。エンタングルメント構成要素には、超伝導マイクロ波共振器共振器を介して第２のキュービットが動作可能に結合される。この方法は、エンタングルメント構成要素によって、超伝導表面弾性波共振器と超伝導マイクロ波共振器とに入る入力場の増幅された重ね合わせを含む出力信号を出力することも含み得る。このような方法の利点は、フォノン・モードと光子モードとの間のもつれ状態が存在し得ることである。
【００１４】
さらに他の実施形態は、超伝導表面弾性波共振器に容量結合された第１の超伝導キュービットと、超伝導マイクロ波共振器に容量結合された第２の超伝導キュービットとを含み得る超伝導デバイスに関する。この超伝導デバイスは、超伝導表面弾性波共振器と超伝導マイクロ波共振器とに結合されたジョセフソン・リング変調器も含み得る。このような超伝導デバイスの利点は、デバイスが非縮退増幅器として動作することができ、超伝導表面弾性波共振器によってサポートされるフォノンと超伝導マイクロ波共振器によってサポートされる光子とのもつれにより、キュービット間にもつれを生じさせることができることである。
【図面の簡単な説明】
【００１５】
【図１】本発明の一実施形態によるジョセフソン・リング変調器を含む回路を示すブロック図である。
【図２】本発明の一実施形態による、超伝導表面弾性波共振器を含む回路を示すブロック図である。
【図３】本発明の一実施形態による、ジョセフソン・リング変調器に結合された表面弾性波共振器と超伝導マイクロ波共振器とを含む超伝導デバイスの回路を示す回路図である。
【図４】本発明の一実施形態による、表面弾性波（フォノン）とマイクロ波信号（光子）のためのユニタリ・ジョセフソン・ミキサを含むシステムを示す略図である。
【図５】本発明の一実施形態による、表面弾性波とマイクロ波信号との間の無損失周波数変換器を含むシステムを示す略図である。
【図６】本発明の一実施形態による、表面弾性波とマイクロ波信号のための非縮退パラメトリック・ジョセフソン増幅器を含むシステムを示す略図である。
【図７】本発明の一実施形態による、フォノン・モードと光子モードとのエンタングラを含むシステムを示す略図である。
【図８】本発明の一実施形態による、表面弾性波（フォノン）とマイクロ波信号（光子）とを混合する方法を示す流れ図である。
【図９】本発明の一実施形態による、マイクロ波制御信号の周波数に基づいて表面弾性波とマイクロ波信号とを混合する方法を示す流れ図である。
【図１０】本発明の一実施形態による、マイクロ波制御信号の周波数と振幅とに基づいて表面弾性波とマイクロ波信号とを混合するために使用されるスイッチの動作方法を示す流れ図である。
【図１１】本発明の一実施形態による、マイクロ波信号の振幅に基づいて表面弾性波とマイクロ波信号とを混合する方法を示す流れ図である。
【図１２】本発明の一実施形態による、表面弾性波とマイクロ波信号との間の無損失周波数変換の方法を示す流れ図である。
【図１３】本発明の一実施形態による、表面弾性波信号からマイクロ波信号へのアップコンバージョンを行う方法を示す流れ図である。
【図１４】本発明の一実施形態による、マイクロ波信号から表面弾性波信号へのダウンコンバージョンを行う方法を示す流れ図である。
【図１５】本発明の一実施形態による、表面弾性波とマイクロ波信号の非縮退パラメトリック増幅を行う方法を示す流れ図である。
【図１６】本発明の実施形態による、量子回路のフォノン・モードと光子モードとのもつれ状態を生じさせる方法を示す流れ図である。
【発明を実施するための形態】
【００１６】
以下の詳細な説明は例示に過ぎず、本発明の実施形態、または本発明の適用または使用、あるいはその両方を限定することを意図していない。また、上記の「背景技術」の項または「発明の概要」の項、または「発明を実施するための形態」の項に示されているいかなる明示または暗黙の情報によっても制約されることを意図していない。
【００１７】
以下、本発明の実施形態について、図面を参照しながら説明する。全図面を通して、同様の要素を参照するために同様の参照番号が使用されている。以下の説明では、説明を目的として、本発明の実施形態をよりよく理解することができるようにするために多くの特定の詳細が記載されている。しかし、様々な場合において、本発明の実施形態はこれらの詳細がなくても実施可能であることは明らかである。
【００１８】
回路、より具体的には量子回路に関して、ジョセフソン・リング変調器（Josephson ring modulator：ＪＲＭ）が２つの超伝導波共振器に結合されている場合、ディファレンシャル・モードの選択について限界がある。例えば、ＪＲＭを低周波伝送線共振器に結合することに付随する問題は、デバイスによって占有される面積が大きいことである。別の例として、ＪＲＭを低周波数集中素子共振器に結合することに伴う問題は、大きなキャパシタが比較的損失が大きいことである。本明細書に記載の超伝導デバイス、超伝導回路および方法によって提供される解決策は、コンパクトであり、したがって超伝導デバイスの大きさまたは損失あるいはその両方を縮小することができる超伝導表面弾性波共振器を使用することである。
【００１９】
従来技術の超伝導デバイス（例えば、２つの超伝導マイクロ波共振器を使用するデバイス）に付随するもう１つの問題は、従来技術の超伝導デバイスが５ギガヘルツ（ＧＨｚ）と１５ＧＨｚの間の周波数の混合に限定されていることである。本明細書に記載の様々な超伝導デバイス、回路および方法は、低マイクロ波周波数（例えば約０．１ＧＨｚから約４ＧＨｚ）と高マイクロ波周波数（例えば約５ＧＨｚから約１５ＧＨｚ）との間の無散逸３波混合および増幅を可能にする、超伝導表面弾性波共振器と超伝導マイクロ波共振器との使用により、この問題の解決策を提供する。
【００２０】
従来技術の超伝導デバイスの上記の問題に鑑み、超伝導デバイス、超伝導回路、およびこれらを製作する方法の形態で上記の問題のうちの１つまたは複数の問題の解決策を提供するために、本明細書で示す様々な態様を実装することができる。このようなシステム、デバイス、回路および方法は、従来の技術と比較して縮小されたサイズと低損失の共振器という利点を有し得る。
【００２１】
一部の実装形態によると、このデバイスは、表面弾性波（フォノン）とマイクロ波信号（光子）との間のジョセフソン・ミキサと、表面弾性波とマイクロ波信号との間の無損失周波数変換器と、表面弾性波とマイクロ波信号のための非縮退パラメトリック・ジョセフソン増幅器と、フォノン・モードと光子モードとのエンタングラとのうちの１つまたは複数として機能することができる。
【００２２】
図１を参照すると、回路１００が、超伝導表面弾性波（ＳＡＷ）共振器（超伝導ＳＡＷ共振器１０２と呼ぶ）と、超伝導マイクロ波共振器１０４と、ジョセフソン・リング変調器（ＪＲＭ１０６と呼ぶ）とを含む。
【００２３】
超伝導キュービット空間を含む１つの量子ハードウェアにおいて、量子ハードウェア上でゲート動作または測定を実施するための機構が、超伝導ＳＡＷ共振器１０２によって、または超伝導マイクロ波共振器１０４を介して、あるいはその両方によって、マイクロ波信号を発生するかまたはマイクロ波信号を受信する。回路１００は、表面弾性波（フォノン）とマイクロ波信号（光子）との間のジョセフソン・ミキサと、表面弾性波とマイクロ波信号との間の無損失周波数変換器と、表面弾性波とマイクロ波信号のための非縮退パラメトリック・ジョセフソン増幅器と、フォノン・モードと光子モードとのエンタングラとのうちの１つまたは複数として動作することができる。
【００２４】
ＳＡＷ共振器（例えば超伝導ＳＡＷ共振器１０２）は、フォノンのための電気機械共振器であり、約０．５ＧＨｚから５ＧＨｚのマイクロ波周波数で共振することができる。ＳＡＷ共振器（またはＳＡＷフィルタ）は、多くの遠隔通信用途（例えば携帯電話）で使用される。ＳＡＷ共振器は、本明細書で説明するように、マイクロ波領域における量子コンピューティング用途および量子回路においても有用となり得る。また、ＳＡＷ共振器は、１０５を超え得る高い内部クォリティ（Ｑ）値を有することができる。したがって、ＳＡＷ共振器は、きわめて低損失となり得る。さらに、ＳＡＷ共振器はきわめてコンパクトである。例えば、表面弾性波共振波長はきわめて短い（例えば１マイクロ・メートル未満、すなわち＜１μｍ）。
【００２５】
超伝導ＳＡＷ共振器１０２は低周波数デバイスとすることができ、超伝導マイクロ波共振器１０４は高周波数デバイスとすることができる。また、超伝導ＳＡＷ共振器１０２は、低損失圧電誘電体基板上に実装可能である。低損失圧電誘電体基板は、石英、ガリウム・ヒ素、ニオブ酸リチウム、または酸化亜鉛、あるいはこれらの組合せなどを含む材料のグループから選択された材料を含み得る。超伝導マイクロ波共振器１０４は、集中素子キャパシタンスと集中素子インダクタンスとを使用して実装することができる。超伝導ＳＡＷ共振器１０２と超伝導マイクロ波共振器１０４に関するさらなる詳細は、図２および図３を基に以下で示す。
【００２６】
ＪＲＭ１０６は、ジョセフソン・トンネル接合に基づくことができるデバイスである。例えば、ＪＲＭ１０６は、ホイートストン・ブリッジ構成に配置された１つまたは複数のジョセフソン接合を含み得る。１つまたは複数のジョセフソン接合は、アルミニウムとニオブとを含む材料のグループから選択された材料を含み得る。また、ＪＲＭ１０６は、損失なしにマイクロ波帯における非縮退混合を行うことができる。一部の実装形態によると、ＪＲＭ１０６は、分散非線形３波混合素子とすることができる。
【００２７】
ＪＲＭ１０６は、２つのディファレンシャル・モードと２つのコモン・モード（そのうちの１つはゼロ周波数におけるものであり、したがって本明細書に記載の１つまたは複数の実施形態には適用されない）をサポートすることができる。ＪＲＭ１０６を適合する（２つのディファレンシャル・マイクロ波モードをサポートする）電磁環境に結合することによって、回路１００は、マイクロ波領域における無損失周波数変換、または量子限界におけるパラメトリック増幅（例えばマイクロ波領域の量子信号の増幅）、または２モード・スクイージングの生成、あるいはこれらの組合せなど、様々な量子処理動作を行うために使用することができる。
【００２８】
ＪＲＭ１０６は、ホイートストン・ブリッジ構成に配置された１つまたは複数のジョセフソン接合を含み得る。ジョセフソン接合は、第１のジョセフソン接合１０８と、第２のジョセフソン接合１１０と、第３のジョセフソン接合１１２と、第４のジョセフソン接合１１４として図示されている。ジョセフソン接合は、ループ状に形成することができる。また、ジョセフソン接合は、本明細書に記載のように混合を行うために使用することができる。
【００２９】
ＪＲＭ１０６は、（ループの内部に）４つの追加の接合も含むことができ、これらは一部の実装形態によるとシャント接合とすることができる。これらの４つの追加の接合を、第１の内部接合１１６、第２の内部接合１１８、第３の内部接合１２０、および第４の内部接合１２２としてラベル付けする。４つの内部接合は、回路１００の周波数の同調を容易にすることができる。この同調性は、外部磁束の印加により得られる。この構成では、４つの内部接合は、外部ループ上の接合よりも大きく、外部ジョセフソン接合をシャントする線形インダクタとして機能することができる。内部ループに外部磁束を通すことによって、ＪＲＭ１０６の総インダクタンスが変化することができ、これによりＪＲＭ１０６に結合された共振器の共振周波数の変化を引き起こすことができる。
【００３０】
さらに、ＪＲＭ１０６の構成は、外部接合どうしが接続する点またはノードを規定する。したがって、ＪＲＭ１０６の下部に第１のノード１２４、ＪＲＭ１０６の右側に第２のノード１２６、ＪＲＭ１０６の上部に第３のノード１２８、ＪＲＭ１０６の左側に第４のノード１３０が存在し得る。なお、下部、右側、上部および左側という用語は、開示の態様について図面を基に説明することを目的としたものであり、開示の態様はＪＲＭ１０６または回路１００あるいはその両方およびこれらに付随する回路のいかなる特定の面または向きにも限定されないことに留意されたい。
【００３１】
４つのノードは、回路１００により対応可能なディファレンシャル・モードとコモン・モードとを規定するために使用することができる。モードは直交可能であり、互いに重なり合わない。また、図のように、ノードは物理的に直交することができる。例えば、第１のノード１２４と第３のノード１２８とが互いに対して垂直であり、第２のノード１２６と第４のノード１３０とが互いに対して水平である。
【００３２】
ノードは、ＪＲＭ１０６を超伝導ＳＡＷ共振器１０２と超伝導マイクロ波共振器１０４とに結合するために使用することができる。例えば、ＪＲＭ１０６を超伝導ＳＡＷ共振器１０２に動作可能に結合するために、向かい合ったノードの第１の組（例えば第１のノード１２４と第３のノード１２８）を選定することができる。第１のノード１２４を線１３２（または第１のリード線）を介して超伝導ＳＡＷ共振器１０２に結合することができ、第３のノード１２８を第２の線１３４（または第２のリード線）を介して超伝導ＳＡＷ共振器１０２に結合することができる。
【００３３】
ＪＲＭ１０６を超伝導マイクロ波共振器１０４に動作可能に結合するために、向かい合ったノードの第２の組（例えば第２のノード１２６と第４のノード１３０）を選定することができる。例えば、第２のノード１２６を第３の線１３６（または第３のリード線）を介して超伝導マイクロ波共振器１０４に結合することができ、第４のノード１３０を第４の線１３８（または第４のリード線）を介して超伝導マイクロ波共振器１０４に結合することができる。
【００３４】
図のように、第１の線１３２と第２の線１３４を、超伝導ＳＡＷ共振器１０２の異なる場所で超伝導ＳＡＷ共振器１０２に結合することができる。また、第３の線１３６と第４の線１３８を、超伝導マイクロ波共振器１０４の異なる場所で超伝導マイクロ波共振器１０４に結合することができる。結合場所に関するさらなる詳細を、図３を基に以下に示す。
【００３５】
超伝導ＳＡＷ共振器１０２と、超伝導マイクロ波共振器１０４と、ＪＲＭ１０６とは、周波数変換器／ミキサ／増幅器／エンタングラ・デバイスの一部である。このデバイスは、デバイスのマイクロ波ポートまたはＳＡＷポートあるいはその両方に接続された他の量子デバイスから外部マイクロ波光子またはフォノンを受信することができる。
【００３６】
回路１００と、本明細書に記載の他の態様は、本明細書に記載の１つまたは複数の実施形態による量子情報の操作を容易にするデバイスで利用することができる。本開示で説明されているデバイス（例えば回路１００など）、システム、装置またはプロセスの態様は、マシン内で具現化、例えば１つまたは複数のマシンに付随する１つまたは複数のコンピュータ可読媒体（または複数の媒体）で具現化されたマシン実行可能コンポーネントを構成することができる。このようなコンポーネントは、１つまたは複数のマシン、例えばコンピュータ、コンピューティング・デバイス、仮想マシンなどによって実行されると、記載されている動作をマシンに行わせることができる。
【００３７】
様々な実施形態において、デバイスは、プロセッサを含むかまたは有線または無線あるいはその両方のネットワークとの有効な通信または動作可能な通信が可能であり得るか、あるいはその両方である、任意の種類の構成要素、マシン、システム、デバイス、機構、装置、または機器あるいはこれらの組合せとすることができる。デバイスを含み得る構成要素、マシン、装置、システム、デバイス、機構または機器あるいはこれらの組合せには、タブレット・コンピューティング・デバイス、ハンドヘルド・デバイス、サーバ・クラス・コンピューティング・マシンまたはデータベースあるいはこれらの組合せ、ラップトップ・コンピュータ、ノートブック・コンピュータ、デスクトップ・コンピュータ、携帯電話、スマートフォン、民生用機器または器具あるいはこれらの組合せ、産業用または商用あるいはその両方のデバイス、ハンドヘルド・デバイス、デジタル・アシスタント、マルチメディア・インターネット対応電話、マルチメディア・プレイヤなどが含まれ得る。
【００３８】
本発明の様々な実施形態において、デバイスは、量子回路技術、量子プロセッサ技術、量子コンピューティング技術、人工知能技術、薬剤および材料技術、サプライ・チェーンおよび物流技術、金融サービス技術、またはその他のデジタル技術あるいはこれらの組合せなどの技術であるがこれらには限定されない技術に関連する、量子コンピューティング・デバイスまたは量子コンピューティング・システムとすることができる。回路１００は、抽象的ではなく、人間によって１組の精神的活動として行うことができない、高度に専門的な性質の問題を解決するために、ハードウェアまたはソフトウェアあるいはその両方を利用することができる。また、ある種の実施形態では、実行されるプロセスの一部を、機械学習に関連する定義済みタスクを実施するための１つまたは複数の専用コンピュータ（例えば、１つまたは複数の専用処理ユニット、量子コンピューティング構成要素を備えた専用コンピュータなど）によって実行することができる。
【００３９】
このデバイスまたはデバイスの構成要素あるいはその両方は、上記の技術、またはコンピュータ・アーキテクチャあるいはその両方などの進歩によって生じる新たな問題を解決するために採用することができる。デバイスの１つまたは複数の実施形態は、量子コンピューティング・システム、量子回路システム、量子プロセッサ・システム、人工知能システムまたはその他のシステムあるいはこれらの組合せに技術的向上をもたらすことができ、量子プロセッサの処理パフォーマンス、量子プロセッサの処理効率、量子プロセッサの処理特性、量子プロセッサのタイミング特性を向上させることによって、または量子プロセッサの電力効率を向上させることによって、あるいはこれらの組合せによって、量子プロセッサ（例えば超伝導量子プロセッサ）に技術的向上をもたらすこともできる。
【００４０】
図２を参照すると、回路２００が、第１の超伝導金属／誘電体反射鏡（例えばブラッグ・ミラー２０２）と第２の超伝導金属／誘電体反射鏡（例えば第２のブラッグ・ミラー２０４）とを含み得る超伝導ＳＡＷ共振器１０２を含む。第１のブラッグ・ミラー２０２は、超伝導ＳＡＷ共振器１０２によってサポートされている半波長の奇数整数倍の距離だけ第２のブラッグ・ミラー２０４から離隔され得る。ブラッグ・ミラーは、互いから規定距離に配置された金属フィンガと誘電体間隙とからなる周期的構造を含む。
【００４１】
一部の実装形態によると、超伝導ＳＡＷ共振器１０２は、低損失圧電誘電体基板（図示せず）に取り付ける（例えば実装する）ことができる。低損失圧電誘電体基板は、石英、ガリウム・ヒ素、ニオブ酸リチウム、および酸化亜鉛または同様の材料のうちの１つまたは複数を含む材料のグループから選択された材料を含み得る。
【００４２】
また、第１の櫛形キャパシタンス・デバイスまたは第１のＩＤＣデバイス２０６と、第２のＩＤＣデバイス２０８とを含めることができる。第１のＩＤＣデバイス２０６は、超伝導ＳＡＷ共振器１０２とＪＲＭ１０６との間に結合することができる。第２のＩＤＣデバイス２０８は、超伝導ＳＡＷ共振器１０２と外部ポート（例えばシグナル・ポート２１２）との間に結合することができる。
【００４３】
例えば、第１のＩＤＣデバイス２０６は、超伝導ＳＡＷ共振器１０２の中心に配置することができる。ＪＲＭ１０６の向かい合ったノードの第１の組を、第１のＩＤＣデバイス２０６の向かい合ったノードに接続することができる。例えば、ＪＲＭ１０６の第１のノード１２４を（例えば第１の線１３２を介して）第１のＩＤＣデバイス２０６の第１の側に接続することができる。また、ＪＲＭ１０６の第３のノード１２８を、（例えば第２の線１３４を介して）第１のＩＤＣデバイス２０６の第２の側に接続することができる。
【００４４】
ジョセフソン・リング変調器の向かい合ったノードの第２の組を、超伝導マイクロ波共振器１０４に接続することができる。例えば、ＪＲＭ１０６の第２のノード１２６を（例えば第３の線１３６を介して）超伝導マイクロ波共振器１０４の第１の側に接続することができる。また、ＪＲＭ１０６の第４のノード１３０を（例えば第４の線１３８を介して）超伝導マイクロ波共振器の第２の側に接続することができる。
【００４５】
回路１００は、第２のＩＤＣデバイス２０８を介して超伝導ＳＡＷ共振器１０２に結合された第１の外部供給線２１０も含み得る。第１の外部供給線２１０は、シグナル・ポート２１２（例えば高周波（ｒｆ）源）に接続することができる。第１の外部供給線２１０は、超伝導ＳＡＷ共振器１０２の１つまたは複数の入力信号と１つまたは複数の出力信号を搬送することができる。
【００４６】
超伝導マイクロ波共振器１０４に第２の外部供給線２１４を結合することができる。第２の外部供給線２１４はアイドラ・ポート２１６（例えばマイクロ波源）に接続することができる。第２の外部供給線２１４は、超伝導マイクロ波共振器１０４の１つまたは複数の入力信号と１つまたは複数の出力信号を搬送することができる。
【００４７】
また、ＪＲＭ１０６は、（例えば第２の線１３４、またはその他の配線により）ポンプ・ポート２１８に動作可能に接続することができる。ポンプ・ポート２１８は、マイクロ波源に接続することができる。ポンプ・ポート２１８は、回路１００の動作のための必要エネルギーを供給することができる。例えば、ポンプ・ポート２１８からＪＲＭ１０６にポンプ・パワーが供給された時点でまたはその後で、超伝導ＳＡＷ共振器１０２と超伝導マイクロ波共振器１０４とがＪＲＭ１０６を介して電気的に接続され得る。しかし、ポンプ・ポート２１８を介してパワーが供給されない（例えば電源がオフである）とき、超伝導ＳＡＷ共振器１０２と超伝導マイクロ波共振器１０４は互いに電気的に分離され得る。
【００４８】
増幅のためには、アイドラ・ポート２１６に接続されたアイドラ伝送線（例えば第２の外部供給線２１４）上を伝播するマイクロ波信号があることが理想的となる。一実施例では、マイクロ波信号が弱く、マイクロ波信号は有用な何らかの量子情報を搬送するものとする。この情報は、回路１００に入り、超伝導ＳＡＷ共振器１０２によってサポートされているアイドラ・モードと信号モードとの間にパラメトリック増幅を生じさせることができるデバイスに（例えばポンプ・ポート２１８を介して）供給されるポンプ・トーンがある。この例では、シグナル・ポート２１２とアイドラ・ポート２１６の両方には入力信号は必要がない。そうではなく、一方のポート上でのみ信号が必要であり、他方のポートを介して量子雑音が入り得る。量子情報を搬送する決定論的信号と量子雑音とは、ポンプ・ドライブを介してデバイスによって混合されることができ、デバイスを出るときに増幅される。したがって、情報を搬送する信号は、シグナル・ポート２１２またはアイドラ・ポート２１６から入来し得るか、または、両方のポートに実質的に同時に入る情報を搬送する２つの信号を有し得る。説明を簡単にするために、信号は一方のポートを介して回路１００に入り、他方のポートは量子雑音のみを受信しているものとする。この場合、ポンプ（例えばポンプ・ポート２１８）とＪＲＭ１０６との相互作用により、コモン・モード（ポンプ）と２つのディファレンシャル・モード（アイドラおよびシグナル）との間に３波混合が起こる。ポンプ周波数がシグナル共振周波数とアイドラ共振周波数との合計である場合、デバイスは、量子限界付近で動作する位相保存パラメトリック増幅器として機能する。シグナル・ポート２１２とアイドラ・ポート２１６を出るそれぞれの出力信号は、両方のポート（例えばシグナル・ポート２１２とアイドラ・ポート２１６）に入る入力信号の増幅された重ね合わせとすることができる。
【００４９】
一部の実装形態によると、ＪＲＭ１０６を通る磁束を１つまたは複数の外部超伝導磁気コイルを介して誘起することができる。例えば、デバイス・パッケージに取り付けられた外部超伝導磁気コイルを使用して、またはオンチップ磁束線を使用して、ＪＲＭ１０６を通る磁束を誘起することができる。
【００５０】
図３を参照すると、回路３００が、ジョセフソン・リング変調器に結合された表面弾性波共振器と超伝導マイクロ波共振器とを含む。
【００５１】
図３では、図を簡単にするためにＪＲＭ１０６のジョセフソン接合と４つの内部接合には参照番号が付されていないことに留意されたい。しかし、説明のための接合の要素の番号付けは図１および図２のラベル付けと同じである。また、回路３００とそれに付随する構成要素は、一部の実装形態によると単一チップ上に実装可能である。
【００５２】
上記のように、ＪＲＭ１０６のノードは互いに垂直方向の向きとすることができる向かい合ったノードの第１の組を含み得る。例えば、向かい合ったノードの第１の組は、（例えば第１の線１３２と第２の線１３４を介して）ＪＲＭ１０６を超伝導ＳＡＷ共振器１０２に動作可能に結合することができる、第１のノード１２４と第３のノード１２８とを含むことができる。また、ＪＲＭ１０６のノードは、水平な向きとすることができる向かい合ったノードの第２の組を含み得る。例えば、向かい合ったノードの第２の組は、ＪＲＭ１０６を超伝導マイクロ波共振器１０４に動作可能に結合することができる、第２のノード１２６と第４のノード１３０を含むことができる。水平方向または垂直方向あるいはその両方に関して図示し、説明しているが、本開示の態様はこの向きには限定されず、他の向きも使用可能であることに留意されたい。
【００５３】
向かい合ったノードの第１の組（例えば第１のノード１２４と第３のノード１２８）を、超伝導ＳＡＷ共振器１０２の第１の櫛形キャパシタまたは第１のＩＤＣ３０２（例えば第１のＩＤＣデバイス２０６）の向かい合った電極に結合することができ、それによって第１の直交モードを形成することができる。例えば、ＪＲＭ１０６の第１のノード１２４を、３０４に示す第１のＩＤＣ３０２の第１の電極に結合することができる。また、ＪＲＭ１０６の第３のノード１２８を、３０６に示す第１のＩＤＣ３０２の第２の電極に結合することができる。第１のＩＤＣ３０２は、超伝導ＳＡＷ共振器１０２の中心に配置することができる。
【００５４】
向かい合ったノードの第２の組（例えば第２のノード１２６と第４のノード１３０）を第２のキャパシタ３１０（例えばシャント・キャパシタ）に結合することができ、それによって超伝導マイクロ波共振器１０４を形成することができ、ここでＪＲＭは共振器の誘導素子である。超伝導マイクロ波共振器は、ＪＲＭ１０６の第２の直交ディファレンシャル・モードをサポートすることができる。キャパシタンス（例えば第１のキャパシタ３０８）は、（ＪＲＭ１０６と第２のキャパシタ３１０によって形成された）マイクロ波共振器とデバイスの外部供給線／ポート（例えばアイドラ・ポート２１６）との間の結合キャパシタとして機能する。一部の実装形態によると、第１のキャパシタ３０８と第２のキャパシタ３１０は、ギャップ・キャパシタ、または櫛形キャパシタ、または平板キャパシタあるいはこれらの組合せを含むキャパシタのグループから選択されたそれぞれのキャパシタとすることができる。平板キャパシタンスの場合、誘電材料は単一マイクロ波光子のレベルのきわめて低損失である必要がある。
【００５５】
図のように、超伝導ＳＡＷ共振器１０２は、第１のＩＤＣ３０２と、第２のＩＤＣ３１２（例えば第２のＩＤＣデバイス２０８）と、１組の金属／誘電体反射鏡（例えば第１のブラッグ・ミラー２０２と第２のブラッグ・ミラー２０４）とを含み得る。超伝導ＳＡＷ共振器１０２の構成要素（例えば第１のＩＤＣ３０２、第２のＩＤＣ３１２、第１のブラッグ・ミラー２０２、第２のブラッグ・ミラー２０４）は、圧電基板上に実装される。例えば、圧電基板は、石英、ガリウム・ヒ素、ニオブ酸リチウム、酸化亜鉛、または同様の材料あるいはこれらの組合せのうちの１つまたは複数を含み得る。
【００５６】
超伝導ＳＡＷ共振器１０２および超伝導マイクロ波共振器１０４にアクセスするために、異なるポートを使用することができる。例えば、超伝導ＳＡＷ共振器１０２にアクセスするためにシグナル・ポート２１２を使用することができ、超伝導マイクロ波共振器１０４にアクセスするためにアイドラ・ポート２１６を使用することができる。
【００５７】
シグナル・ポート２１２は、入力信号と出力信号を搬送するために使用することができる。したがって、超伝導ＳＡＷ共振器１０２からの出力信号を測定するために、ＩＤＣ（例えば第２のＩＤＣデバイス２０８）を第１のブラッグ・ミラー２０２と第２のブラッグ・ミラー２０４の間に配置することができる。互いに接続された１組のＩＤＣフィンガが、サポートされているフォノン・モードのｒｆ電圧アンチノード（最大／最小）に配置されている。したがって、フィンガ間の間隔は、超伝導ＳＡＷ共振器１０２によってサポートされている波長によって決まり得る。
【００５８】
ＩＤＣ（例えば第１のＩＤＣ３０２および第２のＩＤＣ３１２）の２つの連続したフィンガの中心間の距離は、λａ／２として一般的に表すことができる。一実装形態によると、ＩＤＣのそれぞれの２組のフィンガは相反する極性を有することができる。また、線３１４で示すように、第１のブラッグ・ミラー２０２と第２のブラッグ・ミラー２０４は、超伝導ＳＡＷ共振器１０２によってサポートされている半波長の奇数整数倍の距離だけ互いに離隔することができる。規定されている距離はＬａと表すことができ、ここでＬａは、λａ／２の奇数整数倍数である。ただし、λｂ＜λａである。
【００５９】
マイクロ波トーンは、最大振幅と最小振幅とを有する波によって特徴づけられる。最小振幅はＩＤＣの１つのフィンガ（例えば３０４または３０６で示されている）に結合する必要があり、最大値は他方のフィンガ（例えば３０４または３０６で示されている）に結合する必要があり、この２つのフィンガはＪＲＭ１０６の向かい合ったノード（例えば第１のノード１２４と第３のノード１２８）に接続される。したがって、距離λａ／２は、第１のフィンガにおける最大と他方のフィンガにおける最小とを促すように選択することができる
【００６０】
また、説明のために、最大振幅はプラス符号（または正の値）を有し、最小振幅はマイナス符号（または負の値）を有する。したがって、ＪＲＭ１０６の２つの向かい合ったノードを（第１のフィンガにおける）正のｒｆ電圧と（第２のフィンガにおける）負のｒｆ電圧によって励振することができる。これらの信号は、時間とともに交代し得る。しかし、これらの信号は常に互いに逆でなければならない。極性が異なる場合、ディファレンシャル・モードと呼ぶことがある（ここでディファレンシャルとは異符号を意味する）。
【００６１】
これは、超伝導マイクロ波共振器１０４の場合にも当てはまり得る。前述のように、超伝導マイクロ波共振器は共振器を外部ポート（例えばアイドラ・ポート２１６）に結合する第１のキャパシタ３０８と、ＪＲＭ１０６をシャントする第２のキャパシタ３１０とを含み得る。ＪＲＭ１０６をシャントするキャパシタ（例えば第２のキャパシタ３１０）の２つの電極は、逆電圧を有することができ、第２のディファレンシャル・モードを励起することができる。したがって、超伝導ＳＡＷ共振器１０２によってＪＲＭ１０６の第１のディファレンシャル・モードがサポートされ、超伝マイクロ波共振器１０４によってＪＲＭ１０６の第２のディファレンシャル・モードがサポートされる。
【００６２】
また、混合または増幅を行うために、デバイスの動作のためのマイクロ波エネルギーが供給される。混合または増幅あるいはその両方のためのエネルギー源は、ポンプ・ポート２１８を介して供給される。ポンプ・ポート２１８は、回路１００が動作するためのエネルギーを供給することができる強いコヒーレントな非共振マイクロ波トーンとすることができるマイクロ波信号を供給することができる。一部の実装形態によると、ポンプ・ポート２１８によって供給されるマイクロ波信号は、回路１００において行われる３波混合のエネルギー保存に基づいて決定される定義済みの式を満たす周波数を含み得る。
【００６３】
デバイスによって行われる増幅の一実施例では、第１の信号ｆａが超伝導ＳＡＷ共振器１０２の帯域幅内にあり、第２の信号ｆｂが超伝導マイクロ波共振器１０４の帯域幅内にある。また、第２の信号の周波数は第１の信号の周波数より大きくてよい（ｆｂ＞ｆａ）。両方の信号を増幅するために、ポンプ・ポート２１８を介して供給されるポンプ・トーンの周波数は、第１の信号と第２の信号の和（例えば、ｆａ＋ｆｂ）である必要がある。電磁信号のエネルギーは、その周波数に比例する。ポンプ（例えばポンプ・ポート２１８）周波数を和とすることによって、ポンプが分散性の非線形媒体（例えばＪＲＭ１０６）と相互作用する場合、ポンプのエネルギー光子がｆａにおける第１の組の光子とｆｂにおける第２の組の光子とに分かれるダウンコンバージョン・プロセスが発生し得る。周波数が和である場合、光子はこのように分割し得る。例えば、光子は、低い方の周波数ｆａにおける第１の半分（例えば光子の第１の組）と、高い方の周波数ｆｂにおける第２の半分（例えば光子の第２の組）に二分され得る。したがって、ポンプはシグナル・モードおよびアイドラ・モードとエネルギーを交換し、この交換によって両方のモードでもつれ光子が生成されるため、増幅が起こり得る。同様に、非フォノン−光子利得のある変換プロセスは、一方のモードを他方のモード（例えば、光子からフォノンまたはフォノンから光子）に変換することができる。この場合、ポンプ周波数はｆａとｆｂとの差に等しくなければならない。ここではｆｂの方が大きく、したがって式はｆｂ−ｆａとなり得る。
【００６４】
一実装形態によると、混合プロセス（光子−フォノン利得のない変換）では、シグナル周波数のＳＡＷ共振器におけるフォノンをアイドラ周波数のマイクロ波共振器におけるマイクロ波光子にアップコンバートすることができる。別の実装形態によると、アイドラ周波数のマイクロ波共振器における光子をシグナル周波数のＳＡＷ共振器におけるフォノンにダウンコンバートすることができる。このエネルギー交換は、（例えばポンプ・ポート２１８を介して供給される）ポンプ・ドライブによって可能にすることができる。したがって、ポンプ光子が放出されるかまたはポンプ光子が吸収されて、このプロセスを促進する。
【００６５】
ポンプ・ポート２１８に印加されるポンプ信号がない場合、超伝導ＳＡＷ共振器１０２と超伝導マイクロ波共振器１０４とは切り離され（互いに分離され）、超伝導ＳＡＷ共振器１０２と超伝導マイクロ波共振器１０４との情報交換または情報伝達は行われない。ポンプ・ポート２１８にポンプ信号が印加されると同時にまたはその後で、ポンプ信号は図２に示すようにＪＲＭ１０６のコモン・モードを励起し、超伝導ＳＡＷ共振器１０２と超伝導マイクロ波共振器１０４とが相互作用し、情報が交換される。
【００６６】
一部の実装形態によると、ポンプ・ドライブは、ＪＲＭ１０６の向かい合ったノードに容量結合された１８０度ハイブリッド３１６のシグマ・ポートを介して供給され、これがＪＲＭ１０６のコモン・モードを励起する。一部の実装形態によると、１８０度ハイブリッド３１６はパワー・スプリッタとして動作する。
【００６７】
説明のためであって限定的ではなく、１８０度ハイブリッドは、４つのポートを含む受動マイクロ波構成要素である。第１のポートを総和ポート３１８（またはシグマ・ポート）と呼ぶ。総和ポート３１８に信号が入力された場合、信号は２つの他のポート（例えば、第２のポート３２０と第３のポート３２２）に等分される。第２のポート３２０と第３のポート３２２から出力される信号は同相を有し得る。したがって、分割された信号の相が等しいため第１のポートを総和ポート３１８と呼ぶ。ポンプ・ドライブ（例えばポンプ・ポート２１８）を１８０度ハイブリッド３１６の総和ポート３１８を介して供給することができる。
【００６８】
第４のポートをデルタ・ポート３２４（または差分ポート）と呼ぶことができる。（図３では５０オームで終端されている）１８０度ハイブリッドのデルタ・ポート３２４を通して信号が注入された場合、ハイブリッドは信号を２つのポート（例えば第２のポート３２０と第３のポート３２２）から出る２つの信号に分割することになるが、分割された信号は１８０度の位相差を有する。例えば、第１の信号が一方のポート（例えば３２０）で最大値を有する場合、他方のポート（例えば３２２）の第２の信号は最小値を有する。ポンプ・ポート２１８には総和ポート３１８を介して供給可能である。
【００６９】
第２のポート３２０から出る第１のリード線３２６と第３のポート３２２から出る第２のリード線３２８も図示されている。第２のポート３２０および第３のポートで出力される信号は、上述のようにポンプ信号の半分であり、同相を有する。これらの信号は、ＪＲＭ１０６の２つの向かい合ったノードに結合することができる小さい結合キャパシタ（例えば第１の結合キャパシタ３３０と第２の結合キャパシタ３３２）に至る。一部の実装形態によると、第１の結合キャパシタ３３０と第２の結合キャパシタ３３２は、ギャップ・キャパシタと、櫛形キャパシタと、平板キャパシタとを含むキャパシタのグループから選択されたそれぞれのキャパシタとすることができる。平板キャパシタに関しては、誘電材料は単一マイクロ波光子のレベルのきわめて低損失である必要がある。
【００７０】
第１の結合キャパシタ３３０は、（第１のＩＤＣ３０２を介して）ＪＲＭ１０６の第１のノード１２４に結合することができ、第２の結合キャパシタ３３２はＪＲＭ１０６の第３のノード１２８に結合することができる。さらに詳細には、第１のリード線３２６と第２のリード線３２８は、ＪＲＭ１０６の２つの向かい合ったノードに結合する第１のＩＤＣ３０２のフィンガの２つの異なる組（第１の接点３０６と第３の接点３３４に図示されている）に結合することができる。この接続は、ＪＲＭ１０６の異なるｒｆ符号ではなく等しい符号により２つの向かい合ったノードが励振されるＪＲＭ１０６のコモン・モードを励起することを可能にする。例えば、２つの向かい合ったノードを正−正信号または負−負信号で励振することができる。
【００７１】
第１のリード線３２６と第２のリード線３２８は、１８０度ハイブリッドのポート（例えば第２のポート３２０、第３のポート３２２）と結合キャパシタ（例えば、それぞれ第１の結合キャパシタ３３０、第２の結合キャパシタ３３２）との間の長さが等しい（例えば位相整合されている）必要がある接続超伝導線とすることができる。同様に、第１の線１３２と第２の線１３４は、ＪＲＭ１０６の向かい合ったノードと第１のＩＤＣ３０２の電極との間の長さが等しい（例えば位相整合されている）必要がある接続超伝導線とすることができる。また、第３の線１３６と第４の線１３８は、ＪＲＭ１０６の向かい合ったノードと第２のキャパシタ３１０の電極との間の長さが等しい（例えば位相整合されている）必要がある、接続超伝導線とすることができる。また、接続超伝導線は、可能な限り短く、幅広である（例えば直列インダクタンスが小さい）必要がある。
【００７２】
以下では、本明細書で開示されている様々な態様を理解することができるようにさらに技術的解説を示す。様々な圧電基板における音の速度は、光の速度よりも数桁（例えば約５桁、例えば１０５）遅い可能性がある。
【００７３】
超伝導ＳＡＷ共振器１０２の有効長は、Ｌａよりわずかに長くすることができる。これは、ブラッグ・ミラーの反射はミラーの縁端では起こらずブラッグ・ミラーの内部のある程度の侵入深度内で発生するためであり得る。
【００７４】
超伝導ＳＡＷ共振器１０２の有効長（Ｌｅｆｆ）と、圧電基板における音の速度（ｖｓ）は、以下のようにキャビティ自由スペクトル領域（ＦＳＲ）を決定し得る。
【数１】
2021532629.tif 000003
ＳＡＷ共振器は、多モード（共振）をサポートする光子キャビティと類似し得る。キャビティ自由スペクトル領域パラメータは、超伝導ＳＡＷ共振器１０２によってサポートされる多モード間の周波数間隔を決定し得る。
【００７５】
ブラッグ・ミラー間の間隔が大きいほど、Ｌｅｆｆが大きくなり、その結果、ＳＡＷ共振器モード間の周波数分離が小さくなる。ブラッグ・ミラーは、特定の帯域幅内で反射鏡として作用することができる。ブラッグ・ミラーの帯域幅外のモードは、フォノン・モードが限定されないためＳＡＷ共振器によってサポートされない。
【００７６】
ＶＦＳＲとブラッグ・ミラーの帯域幅とに応じて、回路１００はＳＡＷ共振器の単一モード、数モードまたは多モードにわたって動作することができる。ＳＡＷ共振器によってサポートされているすべてのモードがＪＲＭに強く結合することになるわけではないことに留意されたい。回路１００における３波混合動作は、ＪＲＭに強く結合するフォノン・モードにより起こり得る。モードはそのアンチノードがＪＲＭに結合されたＩＤＣフィンガと一致するときに、ＪＲＭに強く結合する。
【００７７】
回路１００は、無損失であるジョセフソン接合の非線形インダクタンスに依拠するジョセフソン・ミキサなどの３波混合器とすることができる。ジョセフソン・ミキサを使用して、超伝導ＳＡＷ共振器１０２によってサポートされているフォノンと光子によって搬送されるマイクロ波信号との混合を可能にすることができる。これは、フォノンをフォノンに、または光子を光子に結合する従来のデバイスとは異なる。したがって、本開示の態様は、結合の顕著な向上をもたらす。例えば、回路１００はマイクロ波信号から、低マイクロ波周波数で共振する弾性波への変換を可能にし得る。また、回路１００は、非縮退的に増幅することができる。ここで非縮退とは、（１）回路１００が、高マイクロ波周波数（例えば１２ＧＨｚ）の１つの周波数と比較的低いもう１つのマイクロ波周波数（例えば１ＧＨｚ）の、２つの異なる周波数を増幅しており、したがって非縮退は、周波数が異なっており、したがってスペクトル非縮退があることと、（２）マイクロ波信号が、表面弾性波をサポートする超伝導ＳＡＷ共振器共振器１０２とは物理的に異なる超伝導マイクロ波共振器１０４によってサポートされているため、空間非縮退もあることを意味する。したがって、スペクトル非縮退と物理的非縮退がある。非縮退であるパラメトリック増幅のこのプロセスにより、回路１００はフォノン・モードを光子モードともつれ状態にすることができ、ここで、もつれとは、２つのモードが互いに強い相関関係にあり、互いから分離不可能な量子特性である。したがって、一方の測定を行えば、他方の状態を判断することができる。したがって、両者はもつれ合い、１つの実体を形成するが、両者は空間において距離によって離隔され得る。
【００７８】
図４を参照すると、システム４００が表面弾性波（フォノン）とマイクロ波信号（光子）のためのユニタリ・ジョセフソン・ミキサを含む。システム４００は、回路１００の構成要素または機能あるいはその両方のうちの１つまたは複数を含むことができ、逆も可能である。
【００７９】
システム４００は、マイクロ波ジョセフソン・ミキサ４０２（例えば図１の回路１００）を含み得る。通信またはその他のマイクロ波用途で従来から使用されているミキサは、マイクロ波信号を混合することができる。しかし、従来のミキサは、本明細書で説明し、マイクロ波ジョセフソン・ミキサ４０２によって容易にされるようにＳＡＷ波とマイクロ波信号とを無損失で混合することはない。
【００８０】
マイクロ波ジョセフソン・ミキサ４０２は、（回路１００の）超伝導ＳＡＷ共振器１０２から表面弾性波信号（例えばＳＡＷ信号４０４）を受信することができる。ＳＡＷ信号４０４は、第１の周波数で共振可能な１つまたは複数のフォノンを含み得る。また、マイクロ波ジョセフソン・ミキサ４０２は、（回路１００の）超伝導マイクロ波共振器１０４からマイクロ波信号４０６を受信することができる。マイクロ波信号４０６は、第２の周波数で共振可能な１つまたは複数の光子を含み得る。例えば、ＳＡＷ信号４０４をサポートすることができる第１のポート（例えばシグナル・ポート２１２）と、マイクロ波信号４０６をサポートすることができる第２のポート（例えばアイドラ・ポート２１６）が存在し得る。また、第３のポート（例えばポンプ・ポート２１８）がマイクロ波制御信号４０８（マイクロ波ドライブ信号とも呼ぶ）をサポートすることができる。
【００８１】
マイクロ波制御信号４０８は、ＳＡＷ信号４０４の第１の周波数ｆ１よりも大きい第２の周波数（ｆ２）を有し得る、マイクロ波信号４０６より大きい第３の周波数（ｆｄ）を有し得る。一実施例では、マイクロ波制御信号４０８の周波数（ｆｄ）は、マイクロ波信号４０６の周波数（ｆ２）からＳＡＷ信号４０４の周波数（ｆ１）を引いた差の絶対値に等しい値とすることができる。これをｆｄ＝｜ｆ２−ｆ１｜と表すことができる。
【００８２】
マイクロ波ジョセフソン・ミキサ４０２は、光子をサポートするＳＡＷ信号４０４と光子によって搬送されるマイクロ波制御信号４０８との間の無損失マイクロ波ジョセフソン・ミキサとして動作することができる。説明を目的とし、限定を目的とせず、標準マイクロ波ジョセフソン・ミキサ用語に照らすと、ＳＡＷ信号４０４の周波数（ｆ１）は中間周波数（ＩＦ）に該当し、マイクロ波信号周波数（ｆ２）は高周波（ＲＦ）に該当し、マイクロ波制御信号４０８（またはドライブ信号）の周波数ｆｄ＝｜ｆ１−ｆ２｜は局部発振器（ＬＯ）に該当し得る。
【００８３】
超伝導ＳＡＷ共振器１０２によって搬送または格納あるいはその両方が行われる量子情報は、マイクロ波ジョセフソン・ミキサ４０２とマイクロ波制御信号４０８を使用して、超伝導マイクロ波共振器１０４に対して、または超伝導マイクロ波共振器１０４から転送することができる。したがって、マイクロ波ジョセフソン・ミキサ４０２は、マイクロ波源から受信した（例えばポンプ・ポート２１８を介して供給される）マイクロ波制御信号４０８に基づいてＳＡＷ信号４０４とマイクロ波信号４０６とを混合することができる。
【００８４】
マイクロ波ジョセフソン・ミキサ４０２は、マイクロ波制御信号４０８の第１の周波数に基づいて超伝導ＳＡＷ共振器１０２から超伝導マイクロ波共振器１０４に情報を転送することができる。別の実施例では、マイクロ波ジョセフソン・ミキサ４０２は、マイクロ波制御信号４０８の第２の周波数に基づいて超伝導マイクロ波共振器１０４から超伝導ＳＡＷ共振器１０２に情報を転送することができる。例えば、超伝導ＳＡＷ共振器１０２から超伝導マイクロ波共振器１０４への第１の情報の第１の転送のために、（例えばポンプ・ポート２１８における）マイクロ波源を第１の周波数で動作させることができる。また、超伝導マイクロ波共振器１０４から超伝導ＳＡＷ共振器１０２への第２の情報の第２の転送のために、マイクロ波源を第２の周波数で動作させることができる。
【００８５】
なお、図４において、信号は超伝導ＳＡＷ共振器１０２において入力され、超伝導マイクロ波共振器１０４から出力される。しかし、デバイスは双方向性とすることもでき、信号は超伝導マイクロ波共振器１０４において入力され、超伝導ＳＡＷ共振器１０２において出力されてもよい。ポンプ周波数は両方の場合で同じである。
【００８６】
一部の実装形態によると、マイクロ波ジョセフソン・ミキサ４０２を、超伝導ＳＡＷ共振器１０２を超伝導マイクロ波共振器１０４に接続するか、または超伝導マイクロ波共振器１０４から切断するかあるいはその両方を行うスイッチとして使用することができる。接続または切断あるいはその両方は、マイクロ波制御信号４０８の有無に基づくことができる。例えば、マイクロ波制御信号４０８がない場合、超伝導ＳＡＷ共振器１０２と超伝導マイクロ波共振器１０４とは接続されない（例えば、共振器間で情報の転送が行われない）。しかし、マイクロ波制御信号４０８がある場合、マイクロ波ジョセフソン・ミキサ４０２が超伝導ＳＡＷ共振器１０２と超伝導マイクロ波共振器１０４との間の情報の転送を促進することができる。
【００８７】
また、マイクロ波制御信号４０８の振幅を、マイクロ波制御信号４０８を発生するマイクロ波源によって変更することができる。マイクロ波制御信号４０８の振幅は、２つの共振器／モードの間で量子情報の全部または一部のいずれを転送する（変換する）のかを決定することができる。したがって、マイクロ波ジョセフソン・ミキサ４０２によってマイクロ波制御信号４０８の周波数を使用して、情報を交換または変換するモードを選択することができる。また、マイクロ波ジョセフソン・ミキサ４０２は、転送される量子信号（情報）のエネルギーとコヒーレンスを保存することができる。
【００８８】
図５を参照すると、システム５００が表面弾性波とマイクロ波信号との間の無損失周波数変換器を含む。システム５００は、回路１００、システム４００の構成要素または機能あるいはその組合せのうちの１つまたは複数を含むことができ、その逆も可能である。
【００８９】
図のように、システム５００は、超伝導ＳＡＷ共振器１０２と、超伝導マイクロ波共振器１０４と、ＪＲＭ１０６とを含み得る。この動作モードでは、（ポンプ・ポート２１８における）マイクロ波制御信号４０８の振幅が、超伝導ＳＡＷ共振器１０２と超伝導マイクロ波共振器１０４との間の量子情報の完全変換を可能にし得る。この動作モードに加えて、信号搬送波のマイクロ波周波数を（デバイスの入力信号がＳＡＷ信号４０４であるかマイクロ波反射信号５０８であるかにそれぞれ応じて）アップコンバートまたはダウンコンバートすることができる。
【００９０】
さらに詳細には、約０．５ＧＨｚから約５ＧＨｚまでの範囲の伝播高周波（ＲＦ）信号を超伝導ＳＡＷ共振器１０２におけるフォノン・モードにマッピングすることができる。マイクロ波制御信号４０８の印加によりフォノン・モードを超伝導マイクロ波共振器１０４にアップコンバートすることができ、それによって無損失３波混合相互作用を生じさせることができる。アップコンバートされたマイクロ波信号は、超伝導マイクロ波共振器を出ると伝播可能となる。システム５００において周波数変換器５０２（例えば図１の回路１００）で、ＳＡＷ反射信号５０６で示すように逆のプロセスも行うことができる。したがって、信号の周波数をｆ１からｆ２に、またはｆ２からｆ１に変換することができる。
【００９１】
ポンプ信号（例えばマイクロ波制御信号４０８）を使用して変換を促進することができる。例えば、ＳＡＷ信号４０４は、超伝導ＳＡＷ共振器１０２におけるフォノン・モードに対応付け可能な伝送線５０４を伝播することができる。したがって、周波数変換器は、超伝導ＳＡＷ共振器１０２から、第１の周波数で共振する１つまたは複数のフォノンを含み得るＳＡＷ信号４０４を受信することができる。
【００９２】
ＳＡＷ信号４０４は、ＪＲＭ１０６において３波混合されることができる。この３波混合を促進するために、周波数変換器５０２はマイクロ波制御信号４０８を受信することができる。
【００９３】
３波混合の時点で、またはその後で、ＪＲＭ１０６はＳＡＷ信号４０４をマイクロ波信号４０６にアップコンバートすることができる。アップコンバートされた信号は、アイドラ・ポート２１６から出ることができ、伝送線５０４を伝播することができる。例えば、周波数変換器５０２は、マイクロ波源から受信したポンプ信号（例えばマイクロ波制御信号４０８）に基づいて、超伝導ＳＡＷ共振器１０２の第１の情報と超伝導マイクロ波共振器１０４の第２の情報の間で無損失周波数変換を実施することができる。逆のプロセスも同様に動作する。
【００９４】
マイクロ波制御信号４０８周波数（ｆｄ）は、マイクロ波信号４０６の周波数（ｆ２）からＳＡＷ信号４０４の周波数（ｆ１）を引いた差の絶対値に等しい値とすることができる。これをｆｄ＝｜ｆ２−ｆ１｜と表すことができる。したがって、マイクロ波制御信号周波数の第１の値は、超伝導マイクロ波共振器１０４と超伝導ＳＡＷ共振器１０２の共振周波数の周波数差の絶対値に等しい値とすることができる。
【００９５】
一部の態様によると、無損失周波数変換の実施は、伝播する高周波信号を超伝導ＳＡＷ共振器１０２におけるフォノン・モードにマッピングすることを含み得る。これらの態様に加えて、周波数変換器５０２は、定義済み周波数のマイクロ波制御信号周波数（例えばマイクロ波制御信号４０８）の印加により、フォノン・モードを超伝導マイクロ波共振器１０４における光子モードにアップコンバートすることができる。フォノン・モードのアップコンバージョンは、無損失３波混合相互作用によって促進される。また、アップコンバートされたマイクロ波信号は超伝導マイクロ波共振器１０４を出ると伝播することができる。
【００９６】
一態様によると、無損失周波数変換の実装は、伝播高周波信号を超伝導マイクロ波共振器１０４における光子モードにマッピングすることを含み得る。これらの態様に加えて、周波数変換器５０２は、定義済み周波数のマイクロ波制御信号４０８の印加により、光子モードを超伝導ＳＡＷ共振器１０２におけるフォノン・モードにダウンコンバートすることができる。光子信号のダウンコンバージョンは、無損失３波混合相互作用によって促進され得る。また、ダウンロードされた表面弾性波信号は、超伝導ＳＡＷ共振器１０２を出ると伝播することができる。
【００９７】
一部の実装形態によると、周波数変換器５０２は、マイクロ波制御信号４０８の周波数に基づいて超伝導ＳＡＷ共振器１０２から超伝導マイクロ波共振器１０４に情報を転送することができる。これに加えて、またはこれに代えて、周波数変換器５０２は、マイクロ波制御信号の周波数に基づいて超伝導マイクロ波共振器から超伝導表面弾性波共振器に情報（例えば量子情報）を転送することができる。
【００９８】
システム５００（および本明細書に記載のその他のシステム）における変換プロセスは、部分的変換とすることができる。したがって、情報の第１の組を変換することができる一方、情報の第２の組を保持し、それぞれの入射ポートに反射し戻すことができる。また、情報の一部を、（例えばＪＲＭ１０６とマイクロ波制御信号４０８の有無とによって実装された）スイッチを使用して変換することができ、その際、いずれのＳＡＷモードがセレクタまたはスイッチあるいはその両方としてのマイクロ波信号に結合されるかは周波数によって決まる。スイッチの場合、ポンプ信号がない場合には変換が行われない。
【００９９】
図６を参照すると、システム６００が、表面弾性波とマイクロ波信号のための非縮退パラメトリック・ジョセフソン増幅器を含む。システム６００は、回路１００、システム４００、システム５００のうちの構成要素または機能あるいはその両方のうちの１つまたは複数を含むことができ、逆も可能である。
【０１００】
システム６００は、低周波数マイクロ波信号と高周波数マイクロ波信号のための位相保存量子限界増幅器として機能することができるジョセフソン・パラメトリック増幅器６０２を含み得る。２つのポート（例えばシグナル・ポート２１２とアイドラ・ポート２１６）に入る入射マイクロ波信号の２つの直交成分を量子限界で増幅することができる。増幅された出射信号は、増幅ＳＡＷ信号６０５と増幅マイクロ波信号６０６とを含み得る。増幅された出射信号は、同じポートで反射する同一周波数信号と、他方のポートに送信される周波数変換信号とを含み得る。入射信号は小さい矢印（例えば弱い信号）として表され、出射信号は、増幅を示すためにより大きい矢印として表されている。マイクロ波信号と他のパラメトリック信号は、２つの直交成分、すなわち信号の振幅と信号の位相によって規定され得る。
【０１０１】
より詳細には、伝播高周波信号とマイクロ波信号とがそれぞれ、超伝導ＳＡＷ共振器１０２のフォノン・モードのうちの少なくとも１つと超伝導マイクロ波共振器１０４のマイクロ波モードのうちの少なくとも１つにマッピングされ得る。一部の実装形態によると、フォノン・モードとマイクロ波モードは基本モードであり得るが、開示の態様は基本モードには限定されず、他のモードも使用可能である。フォノン・モードとマイクロ波モードは、無損失３波混合相互作用を生じさせるマイクロ波ドライブ信号の印加によって量子限界で増幅することができ、反射（例えば同一周波数）および送信（例えば異なる周波数）増幅高周波／マイクロ波信号にマッピングし戻すことができる。
【０１０２】
システム６００の増幅は非縮退である。したがって、２つのモードは２つの異なる周波数を有することができ、２つの異なるポートを有することができる。システム６００によって生じさせた増幅は、マイクロ波信号の位相を保存することができる。したがって、システム６００は、マイクロ波場の両方の直交成分を同一量または類似した量だけ増幅することができる。例えば、一方の直交成分が１００倍に増幅される場合、他方の直交成分も１００倍に増幅される。
【０１０３】
一部の実装形態によると、ジョセフソン・パラメトリック増幅器６０２は第１のポート（例えばシグナル・ポート２１２）に入るＳＡＷ信号４０４の第１の直交成分と、第２のポート（例えばアイドラ・ポート２１６）に入るマイクロ波信号４０６の第２の直交成分を増幅することができる。第１の直交成分は、第１の振幅と第１の位相を含み、第２の直交成分は第２の振幅と第２の位相を含み得る。また、第１の増幅信号は出力ポートから出力することができる。第１の増幅信号は第１の反射信号と第１の送信信号とを含み、第２の増幅信号は第２の反射信号と第２の送信信号とを含む。増幅は、定義済み増幅利得での表面弾性波信号の第１の直交成分とマイクロ波信号の第２の直交成分の増幅を含み得る。
【０１０４】
例えば、第１の反射信号は第１のポートで反射する第１の同一周波数信号を含むことができ、第１の送信信号は第２のポートに送信される第１の周波数変換信号を含むことができる。また、第２の反射信号は第２のポートで反射する第２の同一周波数信号を含むことができ、第２の送信信号は第１のポートに送信される第２の周波数変換信号を含むことができる。
【０１０５】
図７を参照すると、システム７００がフォノン・モードのエンタングラを含む。システム７００は、回路１００、システム４００、システム５００、システム６００の構成要素または機能あるいはその両方のうちの１つまたは複数を含むことができ、逆も可能である。
【０１０６】
システム７００は、フォノン・モードと光子モードとのもつれを生じさせることができるエンタングルメント構成要素７０２を含み得る。システム７００は、超伝導ＳＡＷ共振器１０２に容量結合された第１の超伝導キュービット７０４と、超伝導マイクロ波共振器１０４に容量結合された第２の超伝導キュービット７０６も含み得る。また、ＪＲＭ１０６を超伝導ＳＡＷ共振器１０２と超伝導マイクロ波共振器１０４とに結合することができる。また、システム７００には（例えば、ポンプ・ポート２１８を介して供給される）ポンプ・ドライブを、第１の結合キャパシタ３３０と第２の結合キャパシタ３３２とを介してＪＲＭ１０６の２つの隣接するノードに動作可能に結合することができる。
【０１０７】
一実装形態によると、ポンプ・ポート２１８が、第１の周波数を含む入力信号をＪＲＭ１０６に入力することができる。第１の超伝導キュービット７０４は、超伝導ＳＡＷ共振器１０２を介してエンタングルメント構成要素７０２に動作可能に結合することができ、第２の超伝導キュービット７０６は、超伝導マイクロ波共振器１０４を介してエンタングルメント構成要素７０２に動作可能に結合することができる。また、エンタングルメント構成要素７０２は、超伝導ＳＡＷ共振器１０２の第２の周波数と超伝導マイクロ波共振器１０４の第３の周波数を含むもつれ信号を含む出力信号を出力することができる。一部の実装形態によると、エンタングルメント構成要素７０２は、超伝導ＳＡＷ共振器１０２によって出力された表面弾性波（例えば増幅ＳＡＷ信号６０４）の１つまたは複数のフォノンと、超伝導マイクロ波共振器１０４によって出力された１つまたは複数のマイクロ波光子（例えば増幅マイクロ波信号６０６）とのもつれ信号を生成することができる。
【０１０８】
エンタングルメント構成要素７０２を非縮退増幅器として動作させる場合、超伝導ＳＡＷ共振器１０２によってサポートされるＳＡＷ信号のフォノンと、超伝導マイクロ波共振器１０４によってサポートされるマイクロ波光子との間でもつれを生じさせることができる。例えば、このもつれは、エンタングルメント構成要素７０２に容量結合された超伝導キュービットのもつれ状態を生じさせるために使用することができる。なお、実際にはキュービットはエンタングルメント構成要素７０２に直接接続されないことに留意されたい。そうではなく、キュービットはマイクロ波読み出し共振器に結合され、マイクロ波読み出し共振器がエンタングルメント構成要素７０２に結合される。
【０１０９】
一部の実装形態によると、パラメトリック増幅によってもつれを生じさせることができる。もつれは、反射信号が単に増幅された入射信号ではなく、入力信号のもつれ信号である場合に起こり得る。例えば、もつれ信号は、他方のポートから入来する何らかの情報を含み得る。なお、信号は単純に利得をもって反射されるかまたは増幅されて反射されるわけではないことに留意されたい。３波混合が行われるため、信号の一部が反射され、別の一部は周波数変換もされて他方のポートに送信される。例えば、出力マイクロ波信号は、単に増幅された入力マイクロ波信号ではなく、増幅され、周波数がアップコンバートされたＳＡＷ信号の部分も有する。したがって、出力マイクロ波信号は、アイドラ・ポート２１６を介した反射入射マイクロ波信号と、シグナル・ポート２１２を介して入射する周波数変換送信ＳＡＷ信号との混合とすることができる。したがって、出力マイクロ波信号は、２つの入力信号の一部を含む情報を搬送することができる。
【０１１０】
図のように、エンタングルメント構成要素７０２に結合された第１の超伝導キュービット７０４および第２の超伝導キュービット７０６として示されている１つまたは複数のキュービットが存在し得る。なお、簡単にするために、第１の超伝導キュービット７０４とエンタングルメント構成要素７０２との間、および、第２の超伝導キュービット７０６とエンタングルメント構成要素７０２との間の保護要素（例えばキュービットを増幅信号から保護する構成要素）は図示されていない（マイクロ波サーキュレータおよびアイソレータなど）ことに留意されたい。ポンプ周波数ｆｄは２つの周波数の和である。したがって、第１の超伝導キュービット７０４の情報を第２の超伝導キュービット７０６の情報ともつれ状態にすることができる。したがって、第１の超伝導キュービット７０４と第２の超伝導キュービット７０６を有効にもつれ合わせることができる。
【０１１１】
例えば、第１の超伝導キュービット７０４で第１の測定を行うことができ、第２の超伝導キュービット７０６で第２の測定を行うことができる。第１の測定値と第２の測定値は、エンタングルメント構成要素７０２に入り、出力で増幅される。したがって、第１の測定と第２の測定の合同測定を行うことができる。合同測定は、第１の超伝導キュービット７０４と第２の超伝導キュービット７０６とのもつれを生じさせる。この構成では、第１の超伝導キュービット７０４を多モードと強く結合させることができ、一方、第２の超伝導キュービット７０６を単一モードに結合することができる。
【０１１２】
図８は、表面弾性波（フォノン）とマイクロ波信号（光子）とを混合する例示の非限定的方法８００を示す流れ図である。
【０１１３】
方法８００の８０２で、低周波数で共振可能な１つまたは複数のフォノンを含む表面弾性波信号（例えばＳＡＷ信号４０４）を（例えばマイクロ波ジョセフソン・ミキサ４０２により）受信することができる。表面弾性波信号は、デバイス（例えば回路１００）の超伝導表面弾性波共振器（例えば超伝導ＳＡＷ共振器１０２）から受信することができる。例えば、量子システムから入来する外部信号がデバイス・ポートに入り、マイクロ波共振器とＳＡＷ共振器においてフォノン・モードと光子モードとにマッピングされ得る。
【０１１４】
また、方法８００の８０４で、第２の周波数で共振可能な１つまたは複数の光子を含むマイクロ波信号（例えばマイクロ波信号４０６）を（例えばマイクロ波ジョセフソン・ミキサ４０２により）受信することができる。マイクロ波信号は、超伝導マイクロ波共振器（例えば超伝導マイクロ波共振器１０４）から受信することができる。
【０１１５】
方法８００の８０６で、表面弾性波信号とマイクロ波信号とを（例えばマイクロ波ジョセフソン・ミキサ４０２により）混合することができる。混合は、（例えばポンプ・ポート２１８から供給される）マイクロ波源から受信したマイクロ波制御信号（例えばマイクロ波制御信号４０８）に基づくことができる。一部の実装形態によると、表面弾性波信号とマイクロ波信号との混合は、マイクロ波ジョセフソン・ミキサとマイクロ波制御信号によって、表面弾性波信号またはマイクロ波信号あるいはその両方によって搬送された量子情報を保存することを含み得る。したがって、量子システムから入来する外部信号は、デバイス・ポートに入り、マイクロ波共振器とＳＡＷ共振器においてフォノン・モードと光子モードにマッピングされる。
【０１１６】
方法８００は、超伝導表面弾性波共振器の低マイクロ波周波数と超伝導マイクロ波共振器の高マイクロ波周波数との間で無散逸３波混合および増幅を行うことができる。また、表面弾性波信号によって搬送された量子情報をマイクロ波信号に、またはその逆に、ユニタリに変換することができる（例えば量子信号のエネルギーおよび位相コヒーレンスが保存される）。また、この量子動作は、デバイスによって受信される別個のマイクロ波制御信号（ポンプと呼ぶ）によって制御され、可能にされ得る。
【０１１７】
図９は、マイクロ波制御信号の周波数に基づく表面弾性波とマイクロ波信号との混合方法９００を示す流れ図である。
【０１１８】
方法９００の９０２で、表面弾性波信号（例えばＳＡＷ信号４０４）とマイクロ波信号（例えばマイクロ波信号４０６）とを（例えばマイクロ波ジョセフソン・ミキサ４０２によって）混合することができる。例えば、マイクロ波ジョセフソン・ミキサによる混合は、マイクロ波ジョセフソン・ミキサに動作可能に結合された（例えばポンプ・ポート２１８を介して供給される）マイクロ源から受信したマイクロ波制御信号（例えばマイクロ波制御信号４０８）に基づくことができる。
【０１１９】
ポンプ・ドライブは、マイクロ波信号とＳＡＷ信号との周波数差で印加することができる。例えば、方法９００の９０４で、超伝導表面弾性波共振器（例えば超伝導ＳＡＷ共振器１０２）から超伝導マイクロ波共振器（例えば超伝導マイクロ波共振器１０４）に第１の量子情報を転送することができ、超伝導マイクロ波共振器から超伝導表面弾性波共振器に第２の量子情報を転送することができる。第１の量子情報と第２の情報の転送は、マイクロ波ジョセフソン・ミキサによって受信されたマイクロ波制御信号によって可能にすることができる。したがって、双方向（例えば超伝導表面弾性波から超伝導マイクロ波共振器と、超伝導マイクロ波共振器から超伝導表面弾性波）で同じ量の情報を変換するために、同一のポンプ周波数および振幅を印加することができる。
【０１２０】
図１０は、マイクロ波制御信号の周波数と振幅とに基づいて表面弾性波とマイクロ波信号とを混合するために使用されるスイッチの動作の方法１０００を示す流れ図である。
【０１２１】
方法１０００の１００２で、超伝導表面弾性波共振器と超伝導マイクロ波共振器との接続を（例えばマイクロ波ジョセフソン・ミキサ４０２またはＪＲＭ１０６により）切断することができる。切断は、表面弾性波信号とマイクロ波信号との混合を停止させるとの第１の判断に基づくことができる。したがって、超伝導表面弾性波共振器と超伝導マイクロ波共振器との通信が切断される。
【０１２２】
また、方法１０００の１００４で、（例えばマイクロ波ジョセフソン・ミキサ４０２またはＪＲＭ１０６によって）超伝導表面弾性波共振器と超伝導マイクロ波共振器との接続を再有効化することができる。接続の再有効化は、表面弾性波信号とマイクロ波信号との混合を再開させるとの第２の判断に基づくことができる。したがって、超伝導表面弾性波共振器と超伝導マイクロ波共振器との通信が可能にされる（または接続される）。
【０１２３】
図１１は、マイクロ波信号の振幅に基づいて表面弾性波とマイクロ波信号とを混合する方法１１００を示す流れ図である。
【０１２４】
方法１１００の１１０２で、表面弾性波信号（例えばＳＡＷ信号４０４）とマイクロ波信号（例えばマイクロ波信号４０６）とを（例えばマイクロ波ジョセフソン・ミキサ４０２により）受信することができる。方法１１００の１１０４で、（例えばマイクロ波ジョセフソン・ミキサ４０２により）表面弾性波信号とマイクロ波信号とを混合することができる。混合は、（例えばポンプ・ポート２１８を介して供給される）マイクロ波源から受信したマイクロ波制御信号（例えばマイクロ波制御信号４０８）に基づくことができる。
【０１２５】
また、方法１１００の１１０６で、マイクロ波制御信号の第１の振幅に基づいて、（例えばマイクロ波ジョセフソン・ミキサ４０２により）超伝導表面弾性波共振器と超伝導マイクロ波共振器との間で量子情報の第１の部分を転送することができる。方法１１００の１１０８で、マイクロ波制御信号の第２の振幅に基づいて、（例えばマイクロ波ジョセフソン・ミキサ４０２により）超伝導表面弾性波共振器と超伝導マイクロ波共振器との間で量子情報の第２の部分を転送することができる。例えば、超伝導表面弾性波共振器と超伝導マイクロ波共振器との間で情報の第１の部分を転送するために第１の振幅を使用することができる。超伝導表面弾性波共振器と超伝導マイクロ波共振器との間で情報の第２の部分を転送するために第２の振幅を使用することができる。
【０１２６】
図１２は、表面弾性波とマイクロ波信号との間の無損失周波数変換の方法１２００を示す流れ図である。
【０１２７】
方法１２００の１２０２で、表面弾性波信号（例えばＳＡＷ信号４０４）を（例えば周波数変換器５０２により）受信することができる。また、方法１２００の１２０４でマイクロ波信号（例えばマイクロ波信号４０６）を（例えば周波数変換器５０２により）受信することができる。方法１２００の１２０６で、（例えば周波数変換器５０２により）マイクロ波源から受信したポンプ信号に基づいて、超伝導表面弾性波共振器の第１の情報と超伝導マイクロ波共振器の第２の情報の間で無損失周波数変換を実施することができる。
【０１２８】
一部の実装形態によると、周波数変換器が、マイクロ波制御信号の周波数と振幅とに基づいて超伝導表面弾性波共振器から超伝導マイクロ波共振器に、およびその逆に、量子情報を転送することができる。
【０１２９】
図１３は、表面弾性波信号とマイクロ波信号との間でアップコンバージョンを行う方法１３００を示す流れ図である。
【０１３０】
１３０２で、伝播高周波信号を（例えば周波数変換器５０２により）超伝導表面弾性波共振器におけるフォノン・モードにマッピングすることができる。また、１３０４で、（例えば周波数変換器５０２により）マイクロ波源のマイクロ波制御信号の印加により、フォノン・モードを超伝導マイクロ波共振器における光子モードにアップコンバートすることができる。光子モードのアップコンバージョンは、無損失３波混合相互作用によって可能にされる。アップコンバートされたマイクロ波信号は、超伝導マイクロ波共振器を出ると伝播することができる。一部の実装形態によると、マイクロ波制御信号の周波数は、超伝導マイクロ波共振器の共振周波数からＳＡＷ共振器の共振周波数を引いた差の絶対値に等しい値とすることができる。
【０１３１】
図１４は、表面弾性波信号とマイクロ波信号との間でダウンコンバージョンを行う方法１４００を示す流れ図である。
【０１３２】
方法１４００の１４０２で、伝播マイクロ波周波数信号を（例えば周波数変換器５０２により）超伝導マイクロ波共振器における光子モードにマッピングすることができる。方法１４００の１４０４で、（例えば周波数変換器５０２により）マイクロ波源のマイクロ波信号の印加によって光子モードを超伝導表面弾性波共振器におけるフォノン・モードにダウンコンバートすることができる。光子モードのダウンコンバージョンは、無損失３波混合相互作用によって可能にされる。また、ダウンコンバートされた表面弾性波信号は、超伝導ＳＡＷ共振器を出ると伝播する。
【０１３３】
図１５は、表面弾性波とマイクロ波信号の非縮退パラメトリック増幅を行う方法１５００を示す流れ図である。
【０１３４】
方法１５００の１５０２で、デバイスの第１のポートに入る表面弾性波信号の第１の直交成分と、デバイスの第２のポートに入るマイクロ波信号の第２の直交成分とを（例えばジョセフソン・パラメトリック増幅器６０２により）増幅することができる。一実施例では、増幅は、（例えば、超伝導デバイスにマイクロ波制御信号が印加されていないときに雑音またはある基準を基準として測定された）定義済み振幅利得値で表面弾性波信号の第１の直交成分とマイクロ波信号の第２の直交成分とを増幅することを含み得る。
【０１３５】
また、１５０４で、方法１５００は、（例えばジョセフソン・パラメトリック増幅器６０２により）第１の出力ポートを介して、第１の出力信号と周波数変換が施された第１の送信信号とを含む第１の増幅信号を出力し、第２の出力ポートを介して、第２の出力信号と周波数変換が施された第２の送信信号とを含む第２の増幅信号を出力することができる。一部の実装形態によると、第１の出力信号は、第１のポートで反射する第１の同一周波数信号を含むことができ、第１の送信信号は、第２のポートから第１のポートに送信される第１の周波数変換信号を含むことができる。また、第２の出力信号は、第２のポートで反射する第２の同一周波数信号を含むことができ、第２の送信信号は、第１のポートから第２のポートに送信される第２の周波数変換信号を含むことができる。
【０１３６】
図１６に、本明細書に記載の１つまたは複数の実施形態による、量子回路のフォノン・モードと光子モードとのもつれ状態を生じさせる例示の非限定的方法１６００の流れ図を示す。簡潔にするために、本明細書に記載の他の実施形態で採用されている同様の要素の繰り返しの説明は省く。
【０１３７】
１６０２で、第１の周波数を含む第１の入力信号を（例えばエンタングルメント構成要素７０２を介して）超伝導表面弾性波共振器に入力することができる。１６０４で、第２の周波数を含む第２の入力信号を超伝導マイクロ波共振器に入力することができる。
【０１３８】
また、方法１６００の１６０６で、超伝導マイクロ波およびＳＡＷ共振器に入る入力場（または入力信号）の増幅された重なり合いを含むもつれ信号を含む出力信号を（例えばエンタングルメント構成要素７０２により）出力することができる。例えば、入力場（または入力信号）は第１の入力信号および第２の入力信号とすることができる。この方法は、超伝導表面弾性波共振器によって出力された表面弾性波の１つまたは複数のフォノンと超伝導マイクロ波共振器によって出力された１つまたは複数のマイクロ波光子とのもつれ信号を生成することを含み得る。
【０１３９】
超伝導表面弾性波共振器を介してエンタングルメント構成要素に第１のキュービットを動作可能に結合することができる。また、超伝導マイクロ波共振器を介してエンタングルメント構成要素に第２のキュービットを動作可能に結合することができる。一部の実装形態では、第１のキュービットを２つ以上のモードに動作可能に結合することができる。また、これらの実装形態に対して、第２のキュービットを単一モードに動作可能に結合することができる。もつれ信号は、フォノン・モードと光子モードとのもつれを含み得る。一部の実装形態によると、もつれ信号は、超伝導マイクロ波共振器と超伝導表面弾性波共振器とに入る入力信号の増幅された重なり合いを含み得る。
【０１４０】
説明を簡単にするために、方法を一連の動作として図示し、説明している。主題の新技術は示されている動作によって、または動作の順序によって、あるいはその両方によって限定されず、例えば、動作は様々な順序で、または同時にあるいはその両方により、また、本明細書で提示および記載されていない他の動作とともに行われ得ることを理解し、認識されたい。また、開示されている主題により方法を実装するために、示されているすべての動作が必要ではない場合がある。さらに、これらの方法は、状態図またはイベントにより一連の相互に関係した状態として表すこともできることを当業者は理解でき、認識するであろう。さらに、以下および本明細書全体を通して開示されている方法は、そのような方法をコンピュータに移送し、転送することを容易にするために製造品に記憶することができることも理解されたい。本明細書で使用する製造品という用語は、任意のコンピュータ可読デバイスまたは記憶媒体からアクセス可能なコンピュータ・プログラムを包含することが意図されている。
【０１４１】
本発明の好ましい実施形態は、ジョセフソン・パラメトリック増幅器によって、デバイスの第１のポートに入る表面弾性波信号の第１の直交成分と、デバイスの第２のポートに入るマイクロ波信号の第２の直交成分とを増幅することと、ジョセフソン・パラメトリック増幅器によって、第１の出力ポートを介して、第１の出力信号と周波数変換が施された第１の送信信号とを含む第１の増幅信号を出力し、第２の出力ポートを介して、第２の出力信号と周波数変換が施された第２の送信信号とを含む第２の増幅信号を出力することとを含む方法も含む。
【０１４２】
好ましくは、第１の出力信号は、第１のポートで反射する第１の同一周波数信号を含み、第１の送信信号は、第２のポートから第１のポートに送信される第１の周波数変換信号を含み、第２の出力信号は、第２のポートで反射する第２の同一周波数信号を含み、第２の送信信号は、第１のポートから第２のポートに送信される第２の周波数変換信号を含む。
【０１４３】
好ましくは、増幅は、ジョセフソン・パラメトリック増幅器によって、表面弾性波信号の第１の直交成分とマイクロ波信号の第２の直交成分とを定義済み振幅利得値で増幅することを含む。
【０１４４】
本発明の好ましい実施形態は、超伝導表面弾性波共振器を介して第１のキュービットが動作可能に結合されたエンタングルメント構成要素によって、第１の周波数を含む第１の入力信号を超伝導表面弾性波共振器に入力することと、超伝導マイクロ波共振器を介して第２のキュービットが動作可能に結合されたエンタングルメント構成要素によって、第２の周波数を含む第２の入力信号を超伝導マイクロ波共振器に入力することと、エンタングルメント構成要素によって、超伝導表面弾性波共振器と超伝導マイクロ波共振器とに入る入力場の増幅された重なり合いを含むもつれ信号を含む出力信号を出力することとを含む方法を含む。
【０１４５】
好ましくは、この方法は、エンタングルメント構成要素によって、超伝導表面弾性波共振器によって出力された表面弾性波の１つまたは複数のフォノンと超伝導マイクロ波共振器によって出力された１つまたは複数のマイクロ波光子とのもつれ信号を生成することも含む。
【０１４６】
好ましくは、もつれ信号はフォノン・モードと光子モードとのもつれを含む。
【０１４７】
好ましくは、もつれ信号は、超伝導マイクロ波共振器と超伝導表面弾性波共振器とに入る入力信号の増幅された重ね合わせを含む。
【０１４８】
上記で説明した内容は単なる例を含むに過ぎない。当然ながら、本発明について説明する目的で構成要素または方法のあらゆる考えられる組合せを説明することは不可能であるが、当業者には、本発明の多くの他の組合せおよび置換が可能であることがわかる。また、「含んでいる（ｉｎｃｌｕｄｅｓ）」、「有している（ｈａｓ）」、「保有している（ｐｏｓｓｅｓｓｅｓ）」などの用語が本明細書、特許請求の範囲、付属書、および図面において使用されている限りにおいて、それらの用語は、「含む（ｃｏｍｐｒｉｓｉｎｇ）」という用語が特許請求の範囲における移行語として採用されるときの「含む（ｃｏｍｐｒｉｓｉｎｇ）」と同様に包含的であることが意図されている。本発明の様々な実施形態の説明を例示を目的として示したが、網羅的であること、または開示されている本発明の実施形態に限定することは意図されていない。本発明の範囲から逸脱することなく、多くの修正および変形が当業者には明らかであろう。本明細書で使用されている用語は、本発明の実施形態の原理を最もよく説明するため、または実際の適用または市場に見られる技術をしのぐ技術的改良を最もよく説明するため、または本明細書で開示されている本発明の実施形態を当業者が理解することができるようにするために選定されている。
【図１】
2021532629.tif 000004
【図２】
2021532629.tif 000005
【図３】
2021532629.tif 000006
【図４】
2021532629.tif 000007
【図５】
2021532629.tif 000008
【図６】
2021532629.tif 000009
【図７】
2021532629.tif 000010
【図８】
2021532629.tif 000011
【図９】
2021532629.tif 000012
【図１０】
2021532629.tif 000013
【図１１】
2021532629.tif 000014
【図１２】
2021532629.tif 000015
【図１３】
2021532629.tif 000016
【図１４】
2021532629.tif 000017
【図１５】
2021532629.tif 000018
【図１６】
2021532629.tif 000019
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
周波数変換器において、超伝導表面弾性波共振器から、第１の周波数で共振する１つまたは複数のフォノンを含む表面弾性波信号を受信することと、
前記周波数変換器において、超伝導マイクロ波共振器から、第２の周波数で共振する１つまたは複数の光子を含むマイクロ波信号を受信することと、
前記周波数変換器によって、マイクロ波源から受信したポンプ信号に基づいて前記超伝導表面弾性波共振器の第１の情報と前記超伝導マイクロ波共振器の第２の情報との間で無損失周波数変換を実施することとを含む、方法。
【請求項２】
前記無損失周波数変換を前記実施することは、
前記周波数変換器によって、伝播高周波信号を前記超伝導表面弾性波共振器におけるフォノン・モードにマッピングすることと、
前記周波数変換器によって、定義済み周波数のマイクロ波制御信号の印加により前記フォノン・モードを前記超伝導マイクロ波共振器における光子モードにアップコンバートすることとを含み、前記フォノン・モードの前記アップコンバージョンは無損失３波混合相互作用によって可能にされ、アップコンバートされたマイクロ波信号は前記超伝導マイクロ波共振器を出ると伝播する、請求項１に記載の方法。
【請求項３】
マイクロ波制御信号周波数の第１の値が前記超伝導マイクロ波共振器と前記超伝導表面弾性波共振器の共振周波数の周波数差の絶対値に等しい、請求項１に記載の方法。
【請求項４】
前記無損失周波数変換を前記実施することが、
前記周波数変換器によって、伝播マイクロ波周波数信号を前記超伝導マイクロ波共振器における光子モードにマッピングすることと、
前記周波数変調器によって、定義済み周波数のマイクロ波制御信号の印加により前記光子モードを前記超伝表面導弾性表面波共振器におけるフォノン・モードにダウンコンバートすることとを含み、前記光子モードの前記ダウンコンバージョンは無損失３波混合相互作用によって可能にされ、ダウンコンバートされた表面弾性波信号は前記超伝導表面弾性波共振器を出ると伝播する、請求項１に記載の方法。
【請求項５】
前記周波数変換器によって、マイクロ波制御信号の周波数と振幅とに基づいて、前記超伝導表面弾性表面波共振器と前記超伝導マイクロ波共振器との間で情報を転送することをさらに含む、請求項１に記載の方法。
【請求項６】
前記周波数変換器がマイクロ波ジョセフソン・ミキサであり、前記方法は、
前記マイクロ波ジョセフソン・ミキサによって、前記マイクロ波ジョセフソン・ミキサに動作可能に結合された前記マイクロ波源から受信したマイクロ波制御信号に基づいて前記表面弾性波信号と前記マイクロ波信号とを混合することを含む、請求項１に記載の方法。
【請求項７】
前記マイクロ波ジョセフソン・ミキサによって、前記マイクロ波信号と前記表面弾性波信号との周波数差で印加されたポンプ・ドライブの印加に基づいて、前記超伝導表面弾性波共振器と前記超伝導マイクロ波共振器との間で量子情報を転送することをさらに含む、請求項６に記載の方法。
【請求項８】
前記マイクロ波制御信号に基づいて、前記超伝導表面弾性波共振器から前記超伝導マイクロ波共振器に第１の量子情報を転送し、前記超伝導マイクロ波共振器から前記超伝導表面弾性波共振器に第２の量子情報を転送することをさらに含む、請求項６に記載の方法。
【請求項９】
前記マイクロ波ジョセフソン・ミキサによって、前記表面弾性波信号と前記マイクロ波信号との前記混合を停止させるとの判断に基づいて前記超伝導表面弾性波共振器と前記超伝導マイクロ波共振器との接続を切断することと、
前記マイクロ波ジョセフソン・ミキサによって、前記表面弾性波信号と前記マイクロ波信号との前記混合を再開させるとの判断に基づいて前記超伝導表面弾性波共振器と前記超伝導マイクロ波共振器との前記接続を再有効化することとをさらに含む、請求項１に記載の方法。
【請求項１０】
前記マイクロ波ジョセフソン・ミキサによって、前記マイクロ波制御信号の第１のパワーに基づいて前記超伝導表面弾性波共振器と前記超伝導マイクロ波共振器との間で量子情報の第１の部分を転送することと、
前記マイクロ波ジョセフソン・ミキサによって、前記マイクロ波制御信号の第２のパワーに基づいて前記超伝導表面弾性波共振器と前記超伝導マイクロ波共振器との間で量子情報の第２の部分を転送することとをさらに含む、請求項８に記載の方法。
【請求項１１】
前記表面弾性波信号と前記マイクロ波信号との前記混合は、
前記表面弾性波信号によって搬送された情報を前記マイクロ波信号にユニタリに変換することを含む、請求項８に記載の方法。
【請求項１２】
前記表面弾性波信号と前記マイクロ波信号との前記混合は、前記マイクロ波信号によって搬送された情報を前記表面弾性波信号にユニタリに変換することを含む、請求項８に記載の方法。
【請求項１３】
超伝導表面弾性波共振器に容量結合された第１の超伝導キュービットと、
超伝導マイクロ波共振器に容量結合された第２の超伝導キュービットと、
前記超伝導表面弾性波共振器と前記超伝導マイクロ波共振器とに結合されたジョセフソン・リング変調器とを含む、超伝導デバイス。
【請求項１４】
第１の結合キャパシタと第２の結合キャパシタとを介して前記ジョセフソン・リング変調器の２つの隣接したノードに動作可能に結合されたポンプ・ドライブをさらに含む、請求項１３に記載の超伝導デバイス。
【国際調査報告】
2021532629.tif 000020
2021532629.tif 000021
2021532629.tif 000022